(57)【特許請求の範囲】
【請求項１】
通信接続を確立する方法であって、
第１端末が、前記第１端末と第２端末との間のニアフィールド通信接続を介し前記第２端末とＷｉ−Ｆｉ  Ｄｉｒｅｃｔコンフィギュレーション情報を交換するステップであって、前記交換されるＷｉ−Ｆｉ  Ｄｉｒｅｃｔコンフィギュレーション情報は前記第１端末又は前記第２端末のグループ情報を有する、交換するステップと、
前記交換されたＷｉ−Ｆｉ  Ｄｉｒｅｃｔコンフィギュレーション情報に従って前記第１端末と前記第２端末との間のＷｉ−Ｆｉ  Ｄｉｒｅｃｔ接続を確立するステップと、
を有し、
前記第１端末が、前記第１端末と第２端末との間のニアフィールド通信接続を介し前記第２端末とＷｉ−Ｆｉ  Ｄｉｒｅｃｔコンフィギュレーション情報を交換するステップは、
前記第１端末が、前記ニアフィールド通信接続を介し前記第２端末によって送信された前記第２端末のＷｉ−Ｆｉ  Ｄｉｒｅｃｔコンフィギュレーション情報を受信するステップであって、前記第２端末のＷｉ−Ｆｉ  Ｄｉｒｅｃｔコンフィギュレーション情報は前記第２端末のグループ情報を有する、受信するステップを有し、
前記交換されたＷｉ−Ｆｉ  Ｄｉｒｅｃｔコンフィギュレーション情報に従って前記第１端末と前記第２端末との間のＷｉ−Ｆｉ  Ｄｉｒｅｃｔ接続を確立するステップは、
前記第１端末が前記第１端末のグループ情報と前記第２端末のグループ情報とに従って前記第１端末と前記第２端末との何れもが既存のグループのメンバーでないと判断した場合、前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するステップ、又は、
前記第１端末が前記第１端末のグループ情報と前記第２端末のグループ情報とに従って前記第１端末と前記第２端末との少なくとも１つが既存のグループのメンバーであると判断した場合、前記第１端末が、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップ、
を有する方法。
【請求項２】
前記第２端末のＷｉ−Ｆｉ  Ｄｉｒｅｃｔコンフィギュレーション情報は更に、前記第２端末のグループオーナ意図、前記第２端末におけるＭＡＣ（Ｍｅｄｉａ  Ａｃｃｅｓｓ  Ｃｏｎｔｒｏｌ）エンティティの個数及び各ＭＡＣエンティティのアドレスを有し、
前記第２端末のグループ情報は、前記第２端末が既存のグループのメンバーでないこと、前記第２端末が前記第２端末が属する既存のグループのグループオーナであること、又は前記第２端末が前記第２端末が属する既存のグループのクライアントであることを有し、
前記第１端末のＷｉ−Ｆｉ  Ｄｉｒｅｃｔコンフィギュレーション情報は、前記第１端末のグループ情報を有し、
前記第１端末のグループ情報は、前記第１端末が既存のグループのメンバーでないこと、前記第１端末が前記第１端末が属する既存のグループのグループオーナであること、又は前記第１端末が前記第１端末が属する既存のグループのクライアントであることを有し、
前記第１端末のＷｉ−Ｆｉ  Ｄｉｒｅｃｔコンフィギュレーション情報は更に、前記第１端末のグループオーナ意図、前記第１端末におけるＭＡＣエンティティの個数及び各ＭＡＣエンティティのアドレスを有し、
前記作成予定の新たなグループのＷｉ−Ｆｉ  Ｄｉｒｅｃｔコンフィギュレーション情報は、前記作成予定の新たなグループの識別子、前記作成予定の新たなグループのベーシックサービスセット識別子、前記作成予定の新たなグループの動作チャネル、前記第１端末のグループオーナ意図、前記作成予定の新たなグループのＩＰベースアドレス及び前記作成予定の新たなグループにおける前記第１端末によって用いられるＭＡＣエンティティのアドレスを有する、請求項１記載の方法。
【請求項３】
前記第１端末が前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するステップは、
前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定するステップと、
前記第１端末が、前記ニアフィールド通信接続を介し前記第２端末に前記作成予定の新たなグループのＷｉ−Ｆｉ  Ｄｉｒｅｃｔコンフィギュレーション情報を送信するステップと、
前記第１端末が、前記作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップと、
を有する、請求項１又は２記載の方法。
【請求項４】
前記第１端末が前記第１端末のグループ情報と前記第２端末のグループ情報とに従って前記第１端末と前記第２端末との少なくとも１つが既存のグループのメンバーであると判断するステップは、
前記第１端末が、前記第１端末のグループ情報と前記第２端末のグループ情報とに従って、前記第２端末が既存のグループのメンバーであり、前記第１端末が既存のメンバーでないと判断するステップを有する、請求項１又は２記載の方法。
【請求項５】
前記第１端末が前記既存のグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップは、
前記第１端末が、前記第１端末のデフォルト設定に従って前記第１端末が前記第２端末が属する既存のグループに加わることを要求していると判断するステップと、
前記第１端末が前記第２端末のグループ情報に従って前記第２端末が前記第２端末が属する既存のグループのグループオーナであると判断した場合、前記第１端末が、前記第１端末のＷｉ−Ｆｉ  Ｄｉｒｅｃｔコンフィギュレーション情報におけるグループオーナ意図の値を前記第２端末のＷｉ−Ｆｉ  Ｄｉｒｅｃｔコンフィギュレーション情報におけるグループオーナ意図の値より小さい値に設定するステップと、
前記第１端末が、前記第２端末のＷｉ−Ｆｉ  Ｄｉｒｅｃｔコンフィギュレーション情報に従って前記第２端末とのＷｉ−Ｆｉ  Ｄｉｒｅｃｔ接続を確立するステップであって、前記第２端末のＷｉ−Ｆｉ  Ｄｉｒｅｃｔコンフィギュレーション情報は前記第２端末が属する既存のグループのＷｉ−Ｆｉ  Ｄｉｒｅｃｔコンフィギュレーション情報である、確立するステップと、
を有する、請求項４記載の方法。
【請求項６】
前記第２端末が前記第２端末が属する既存のグループのクライアントであるとき、前記第２端末のＷｉ−Ｆｉ  Ｄｉｒｅｃｔコンフィギュレーション情報は、前記第２端末が属する既存のグループのＷｉ−Ｆｉ  Ｄｉｒｅｃｔコンフィギュレーション情報における暗号化情報を除くコンフィギュレーション情報であり、
当該方法は更に、
前記第１端末が、前記ニアフィールド通信接続を介し前記第２端末により送信され、前記第２端末が属する既存のグループのグループオーナの記述情報を受信するステップを有し、
前記第１端末が前記既存のグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップは、
前記第１端末が、前記第１端末のデフォルト設定に従って、前記第１端末が前記第２端末が属する既存のグループに加わることを要求していると判断するステップと、
前記第１端末が、前記第２端末が属する既存のグループのグループオーナの記述情報に従って、前記第２端末が属する既存のグループのＷｉ−Ｆｉ  Ｄｉｒｅｃｔコンフィギュレーション情報における暗号化情報を前記グループオーナに要求し、前記グループオーナにより送信された前記既存のグループのＷｉ−Ｆｉ  Ｄｉｒｅｃｔコンフィギュレーション情報において前記暗号化情報を受信するステップと、
前記第１端末が、前記既存のグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップと、
を有する、請求項４記載の方法。
【請求項７】
前記第１端末が前記第１端末のグループ情報と前記第２端末のグループ情報とに従って前記第１端末と前記第２端末との少なくとも１つが既存のグループのメンバーであると判断するステップは、
前記第１端末が前記第１端末のグループ情報と前記第２端末のグループ情報とに従って前記第１端末と前記第２端末との双方が既存のグループのメンバーであると判断するステップを有する、請求項１又は２記載の方法。
【請求項８】
前記第１端末が作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップは、
前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って、前記第１端末と前記第２端末とが同じグループに属さず、前記第１端末と前記第２端末との双方が少なくとも１つの未使用のＭＡＣエンティティを有すると判断し、前記第１端末が、前記第１端末のグループ情報と前記第２端末のグループ情報とに従って、前記第１端末と前記第２端末との少なくとも１つがグループオーナであると判断した場合、前記第１端末が、前記作成予定の新たなグループにおける前記第１端末により利用されるＭＡＣエンティティとして前記第１端末における未使用のＭＡＣエンティティからの１つを選択し、前記第２端末における未使用のＭＡＣエンティティからの１つを選択するステップと、
前記第１端末が、前記作成予定の新たなグループのＷｉ−Ｆｉ  Ｄｉｒｅｃｔコンフィギュレーション情報を設定するステップとであって、前記作成予定の新たなグループのＷｉ−Ｆｉ  Ｄｉｒｅｃｔコンフィギュレーション情報は更に前記第２端末から前記第１端末によって選択されたＭＡＣエンティティのアドレスを有する、設定するステップと、
前記第１端末が、前記ニアフィールド通信接続を介し前記第２端末に前記作成予定の新たなグループのＷｉ−Ｆｉ  Ｄｉｒｅｃｔコンフィギュレーション情報を送信し、前記作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップと、
を有する、請求項７記載の方法。
【請求項９】
前記第１端末が前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップは、
前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第１端末と前記第２端末とが同じグループに属さないと判断し、前記第１端末が、前記第１端末のグループ情報と前記第２端末のグループ情報とに従って前記第１端末と前記第２端末との何れもグループオーナでないと判断した場合、又は、前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第１端末と前記第２端末とが同じグループに属さず、前記第１端末及び／又は前記第２端末における全てのＭＡＣエンティティが利用されると判断した場合、前記第１端末が、前記第１端末が属する既存のグループをやめるか前記第１端末を利用するユーザに促し、前記第２端末が属する既存のグループをやめるか前記第２端末を利用したユーザに促すよう前記第２端末に指示するステップと、
前記第１端末を利用するユーザが前記第１端末が属する既存のグループをやめることを選択した後、及び／又は前記第２端末を利用するユーザが前記第２端末が属する既存のグループをやめることを選択した後、前記第１端末が、端末が属する既存のグループをやめない前記端末のＷｉ−Ｆｉ  Ｄｉｒｅｃｔコンフィギュレーション情報又は前記作成予定の新たなグループのＷｉ−Ｆｉ  Ｄｉｒｅｃｔコンフィギュレーション情報に従って、前記第２端末とのＷｉ−Ｆｉ  Ｄｉｒｅｃｔ接続を確立するステップと、
を有する、請求項７記載の方法。
【請求項１０】
第１端末である端末であって、
前記第１端末と第２端末との間のニアフィールド通信接続を介し前記第２端末により送信される前記第２端末のＷｉ−Ｆｉ  Ｄｉｒｅｃｔコンフィギュレーション情報を受信するよう構成される受信モジュールであって、前記第２端末のＷｉ−Ｆｉ  Ｄｉｒｅｃｔコンフィギュレーション情報は前記第２端末のグループ情報を有する、受信モジュールと、
前記受信モジュールにより受信された前記第１端末のグループ情報と前記第２端末のグループ情報とに従って、前記第１端末と前記第２端末との何れも既存のグループのメンバーでないと判断するか、又は前記受信モジュールにより受信された前記第１端末のグループ情報と前記第２端末のグループ情報とに従って、前記第１端末と前記第２端末との少なくとも１つが既存のグループのメンバーであると判断するよう構成される判定モジュールと、
前記判定モジュールが前記第１端末と前記第２端末との何れも既存のグループのメンバーでないと判断すると、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するか、又は前記判定モジュールが前記第１端末と前記第２端末との少なくとも１つが既存のグループのメンバーであると判断すると、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される確立モジュールと、
を有する端末。
【請求項１１】
前記受信モジュールにより受信される前記第２端末のＷｉ−Ｆｉ  Ｄｉｒｅｃｔコンフィギュレーション情報は更に、前記第２端末のグループオーナ意図、前記第２端末におけるＭＡＣ（Ｍｅｄｉａ  Ａｃｃｅｓｓ  Ｃｏｎｔｒｏｌ）エンティティの個数及び各ＭＡＣエンティティのアドレスを有し、
前記第２端末のグループ情報は、前記第２端末が既存のグループのメンバーでないこと、前記第２端末が前記第２端末が属する既存のグループのグループオーナであること、又は前記第２端末が前記第２端末が属する既存のグループのクライアントであることを有し、
前記第１端末のＷｉ−Ｆｉ  Ｄｉｒｅｃｔコンフィギュレーション情報は、前記第１端末のグループ情報を有し、
前記第１端末のグループ情報は、前記第１端末が既存のグループのメンバーでないこと、前記第１端末が前記第１端末が属する既存のグループのグループオーナであること、又は前記第１端末が前記第１端末が属する既存のグループのクライアントであることを有し、
前記第１端末のＷｉ−Ｆｉ  Ｄｉｒｅｃｔコンフィギュレーション情報は更に、前記第１端末のグループオーナ意図、前記第１端末におけるＭＡＣエンティティの個数及び各ＭＡＣエンティティのアドレスを有し、
前記作成予定の新たなグループのＷｉ−Ｆｉ  Ｄｉｒｅｃｔコンフィギュレーション情報は、前記作成予定の新たなグループの識別子、前記作成予定の新たなグループのベーシックサービスセット識別子、前記作成予定の新たなグループの動作チャネル、前記第１端末のグループオーナ意図、前記作成予定の新たなグループのＩＰベースアドレス及び前記作成予定の新たなグループにおける前記第１端末により利用されるＭＡＣエンティティのアドレスを有する、請求項１０記載の端末。
【請求項１２】
前記確立モジュールは、第１確立サブモジュール、第１設定サブモジュール及び第１送信サブモジュールを有し、
前記第１設定サブモジュールは、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って、前記作成予定の新たなグループのＷｉ−Ｆｉ  Ｄｉｒｅｃｔコンフィギュレーション情報を設定するよう構成され、
前記第１送信サブモジュールは、前記ニアフィールド通信接続を介し前記第２端末に前記第１設定サブモジュールにより設定された前記作成予定の新たなグループのＷｉ−Ｆｉ  Ｄｉｒｅｃｔコンフィギュレーション情報を送信するよう構成され、
前記第１確立サブモジュールは、前記第１設定サブモジュールにより設定された前記作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される、請求項１０又は１１記載の端末。
【請求項１３】
前記判定モジュールが、前記第１端末のグループ情報と前記第２端末のグループ情報とに従って、前記第１端末と前記第２端末との少なくとも１つが既存のグループのメンバーであると判断するよう構成されることは、
前記判定モジュールが、具体的には、前記第１端末のグループ情報と前記第２端末のグループ情報とに従って、前記第２端末が既存のグループのメンバーであり、前記第１端末が既存のグループのメンバーでないと判断するよう構成されることを有する、請求項１０又は１１記載の端末。
【請求項１４】
前記確立モジュールは、第６判定サブモジュール、第４設定サブモジュール及び第６確立サブモジュールを有し、
前記第６判定サブモジュールは、前記受信モジュールにより受信された前記第１端末のデフォルト設定に従って、前記第１端末が前記第２端末が属する既存のグループに加わることを要求していると判断するよう構成され、
前記第６判定サブモジュールが前記第１端末が前記第２端末が属する既存のグループに加わることを要求していると判断した後、前記判定モジュールが、前記第２端末のグループ情報に従って前記第２端末が前記第２端末が属する既存のグループのグループオーナであると判断すると、前記第４設定サブモジュールは、前記第１端末のＷｉ−Ｆｉ  Ｄｉｒｅｃｔコンフィギュレーション情報におけるグループオーナ意図の値を前記第２端末のＷｉ−Ｆｉ  Ｄｉｒｅｃｔコンフィギュレーション情報におけるグループオーナ意図の値より小さい値に設定するよう構成され、
前記第６確立サブモジュールは、前記第２端末のＷｉ−Ｆｉ  Ｄｉｒｅｃｔコンフィギュレーション情報に従って前記第２端末とのＷｉ−Ｆｉ  Ｄｉｒｅｃｔ接続を確立するよう構成され、前記第２端末のＷｉ−Ｆｉ  Ｄｉｒｅｃｔコンフィギュレーション情報は、前記第２端末が属する既存のグループのＷｉ−Ｆｉ  Ｄｉｒｅｃｔコンフィギュレーション情報である、請求項１３記載の端末。
【請求項１５】
前記第２端末が前記第２端末が属する既存のグループのクライアントであるとき、前記受信モジュールにより受信される前記第２端末のＷｉ−Ｆｉ  Ｄｉｒｅｃｔコンフィギュレーション情報は、前記第２端末が属する既存のグループのＷｉ−Ｆｉ  Ｄｉｒｅｃｔコンフィギュレーション情報における暗号化情報を除くコンフィギュレーション情報であり、
前記受信モジュールは更に、前記ニアフィールド通信接続を介し前記第２端末により送信される前記第２端末が属する既存のグループのグループオーナの記述情報を受信するよう構成され、
前記確立モジュールは、第７判定サブモジュール、第１要求サブモジュール、第１受信サブモジュール及び第７確立サブモジュールを有し、
前記第７判定サブモジュールは、前記第１端末のデフォルト設定に従って、前記第１端末が前記第２端末が属する既存のグループに加わることを要求していると判断するよう構成され、
前記第１要求サブモジュールは、前記受信モジュールにより受信される前記第２端末が属する既存のグループのグループオーナの記述情報に従って、前記第２端末が属する既存のグループのＷｉ−Ｆｉ  Ｄｉｒｅｃｔコンフィギュレーション情報における暗号化情報を前記グループオーナに要求するよう構成され、
前記第１受信サブモジュールは、前記グループオーナにより送信された前記既存のグループのＷｉ−Ｆｉ  Ｄｉｒｅｃｔコンフィギュレーション情報における暗号化情報を受信するよう構成され、
前記第７確立サブモジュールは、前記既存のグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される、請求項１３記載の端末。
【請求項１６】
前記判定モジュールが前記第１端末のグループ情報と前記第２端末のグループ情報とに従って、前記第１端末と前記第２端末との少なくとも１つが既存のグループのメンバーであると判断するよう構成されることは、
前記判定モジュールが、具体的には、前記第１端末のグループ情報と前記第２端末のグループ情報とに従って、前記第１端末と前記第２端末との双方が既存のグループのメンバーであると判断するよう構成される、請求項１０又は１１記載の端末。
【請求項１７】
前記確立モジュールは、第９確立サブモジュール、第７設定サブモジュール及び第９送信サブモジュールを有し、
前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って、前記第１端末と前記第２端末とが同じグループに属さず、前記第１端末と前記第２端末との双方が少なくとも１つの未使用のＭＡＣエンティティを有すると判断され、前記判定モジュールが、前記第１端末のグループ情報と前記第２端末のグループ情報とに従って、前記第１端末と前記第２端末との少なくとも１つがグループオーナであると判断すると、前記第７設定サブモジュールは、前記作成予定の新たなグループにおける前記第１端末により利用されるＭＡＣエンティティとして前記第１端末における未使用のＭＡＣエンティティからの１つを選択し、前記作成予定の新たなグループのＷｉ−Ｆｉ  Ｄｉｒｅｃｔコンフィギュレーション情報を設定するよう構成され、前記作成予定の新たなグループのＷｉ−Ｆｉ  Ｄｉｒｅｃｔコンフィギュレーション情報は更に、前記第２端末から前記第１端末により選択されたＭＡＣエンティティのアドレスを有し、
前記第９送信サブモジュールは、前記ニアフィールド通信接続を介し前記第２端末に前記第７設定サブモジュールにより設定された前記作成予定の新たなグループのＷｉ−Ｆｉ  Ｄｉｒｅｃｔコンフィギュレーション情報を送信するよう構成され、
前記第９確立サブモジュールは、前記第７設定サブモジュールにより設定された前記作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される、請求項１６記載の端末。
【請求項１８】
前記確立モジュールは、第２プロンプトサブモジュール及び第１０確立サブモジュールを有し、
前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って、前記第１端末と前記第２端末とが同じグループに属さないと判断され、前記判定モジュールが、前記第１端末のグループ情報と前記第２端末のグループ情報とに従って、前記第１端末と前記第２端末との何れもグループオーナでないと判断したとき、又は、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って、前記第１端末と前記第２端末とが同じグループに属さず、前記第１端末及び／又は前記第２端末における全てのＭＡＣエンティティが利用されている判断されると、前記第２プロンプトサブモジュールは、前記第１端末が属する既存のグループをやめるか前記第１端末を利用するユーザを促し、前記第２端末が属する既存のグループをやめるか前記第２端末を利用するユーザを促すよう前記第２端末に指示するよう構成され、
前記第１端末を利用するユーザが前記第１端末が属する既存のグループをやめることを選択した後、及び／又は前記第２端末を利用するユーザが前記第２端末が属する既存のグループをやめることを選択した後、前記第１０確立サブモジュールは、端末が属する既存のグループをやめない前記端末のＷｉ−Ｆｉ  Ｄｉｒｅｃｔコンフィギュレーション情報又は前記作成予定の新たなグループのＷｉ−Ｆｉ  Ｄｉｒｅｃｔコンフィギュレーション情報に従って、前記第２端末とのＷｉ−Ｆｉ  Ｄｉｒｅｃｔ接続を確立するよう構成される、請求項１６記載の端末。
【発明の詳細な説明】
【技術分野】
【０００１】
本発明は、通信技術の分野に関し、特に通信接続を確立するための方法及び端末に関する。
【背景技術】
【０００２】
ニアフィールド通信（Ｎｅａｒ  Ｆｉｅｌｄ  Ｃｏｍｍｕｎｉｃａｔｉｏｎ、略してＮＦＣ）は、短距離無線通信技術である。それは、無線周波数識別（Ｒａｄｉｏ  Ｆｒｅｑｕｅｎｃｙ  Ｉｄｅｎｔｉｆｉｃａｔｉｏｎ、略してＲＦＩＤ）技術に基づき、電磁誘導を利用して電子デバイス間の短距離通信を実現する。ユーザはビジュアル、セキュア及び無接触な情報交換、支払取引などを実現するためデバイスに接触又は近づきさえすればよい。ＮＦＣは、１３．５６ＭＨｚ周波数上で機能し、１０６ｋｂｉｔ／ｓ、２１２ｋｂｉｔ／ｓ、４２４ｋｂｉｔ／ｓ及び８４８ｋｂｉｔ／ｓの４つのレートをサポートする。ＮＦＣは、２０センチメートルの範囲内で機能可能であり、典型的な値は４ｃｍである。ＮＦＣは、それのシンプルな動作及び低データ送信レートのため小さなデータの交換に大変適しており、大きなファイル（例えば、メガバイトのスコアにおける高品位ピクチャ又は高品位ビデオなど）については、ＮＦＣが送信に利用される場合、低速のデメリットがユーザ体感に重大な影響を与える。従って、ＮＦＣフォーラムは、ＮＦＣベースの接続ハンドオーバ技術を提案している。ＮＦＣ、ブルートゥース及びＷｉ−Ｆｉ（Ｗｉｒｅｌｅｓｓ  Ｆｉｄｅｌｉｔｙ、略してＷｉ−Ｆｉ）を同時にサポートする２つの端末は、ＮＦＣを利用することによってブルートゥース又はＷｉ−Ｆｉの接続コンフィギュレーション情報をやりとりするため、単に互いに接触するようにしてもよい。その後、端末はコンフィギュレーション情報を利用してブルートゥース接続又はＷｉ−Ｆｉ接続を確立し、確立されたブルートゥース接続又はＷｉ−Ｆｉ接続を利用して大きなファイルを送信してもよい。
【０００３】
Ｗｉ−Ｆｉ  Ｄｉｒｅｃｔ（Ｗｉ−Ｆｉ  Ｄｉｒｅｃｔ）は、Ｗｉ−Ｆｉアプライアンスにより規定された８０２．１１ベースポイント・ツー・ポイント接続技術である。Ｗｉ−Ｆｉ  Ｄｉｒｅｃｔはまた、Ｗｉ−Ｆｉポイント・ツー・ポイント（Ｗｉ−Ｆｉ  Ｐｏｉｎｔ  ｔｏ  Ｐｏｉｎｔ、略してＷｉ−Ｆｉ  Ｐ２Ｐ）と呼ばれるかもしれない。Ｗｉ−Ｆｉ  Ｄｉｒｅｃｔは、８０２．１１物理レイヤを利用して、２つのデバイスが互いを検出し、ポイント・ツー・ポイント接続を確立するシナリオにレイヤが適したものとなるように、既存の８０２．１１媒体アクセス制御（Ｍｅｄｉａ  Ａｃｃｅｓｓ  Ｃｏｎｔｒｏｌ、略してＭＡＣ）レイヤ及び上位レイヤを修正する。
【０００４】
従来技術では、Ｗｉ−Ｆｉ  Ｄｉｒｅｃｔプロトコルにより定義される接続確立手順は、デバイス検出、グループオーナ（Ｇｒｏｕｐ  Ｏｗｎｅｒ、略してＧＯ）ネゴシエーション及びＷｉ−Ｆｉ  Ｐｒｏｔｅｃｔｅｄ  Ｓｅｔｕｐプロトコル（Ｗｉ−Ｆｉ  Ｐｒｏｔｅｃｔｅｄ  Ｓｅｔｕｐ、略してＷＰＳ）認証情報の交換などのプロセスを含む。接続確立手順全体はやや複雑で長い。さらに、何れかのグループに加入していない２つの端末は、Ｗｉ−Ｆｉ  Ｄｉｒｅｃｔプロトコルにより定義される方法を利用して接続を確立してもよく、何れかのグループに加入していない端末は、Ｗｉ−Ｆｉ  Ｄｉｒｅｃｔプロトコルにより定義された方法を利用して、既存のグループに加入し、ＧＯ又はＧＯを介しグループのクライアント（Ｃｌｉｅｎｔ）と通信してもよい。Ｗｉ−Ｆｉ  Ｄｉｒｅｃｔプロトコルの制限のため、あるグループのクライアントと他のグループのＧＯ又はクライアントとは互いを検出することができず、更に接続を確立し、互いに通信することができない。
【発明の概要】
【発明が解決しようとする課題】
【０００５】
本発明は、２つの端末の双方がＮＦＣ通信の範囲内で２つの端末間のＷｉ−Ｆｉ  Ｄｉｒｅｃｔ接続を確立することができるように、Ｗｉ−Ｆｉ  Ｄｉｒｅｃｔ接続を確立するプロセスを簡単化するため、通信接続を確立するための方法及び端末を提供する。
【課題を解決するための手段】
【０００６】
第１の態様では、本発明は、通信接続を確立する方法であって、
第１端末が、前記第１端末と第２端末との間のニアフィールド通信接続を介し前記第２端末とＷｉ−Ｆｉ（Ｗｉｒｅｌｅｓｓ  Ｆｉｄｅｌｉｔｙ）  Ｄｉｒｅｃｔコンフィギュレーション情報を交換するステップであって、前記交換されるＷｉ−Ｆｉ  Ｄｉｒｅｃｔコンフィギュレーション情報は前記第１端末又は前記第２端末のグループ情報を有する、交換するステップと、
前記交換されたＷｉ−Ｆｉ  Ｄｉｒｅｃｔコンフィギュレーション情報に従って前記第１端末と前記第２端末との間のＷｉ−Ｆｉ  Ｄｉｒｅｃｔ接続を確立するステップと、
を有する方法を提供する。
【０００７】
第１の態様の第１の可能な実現方式では、前記第１端末が、前記第１端末と第２端末との間のニアフィールド通信接続を介し前記第２端末とＷｉ−Ｆｉ  Ｄｉｒｅｃｔコンフィギュレーション情報を交換するステップは、
前記第１端末が、前記ニアフィールド通信接続を介し前記第２端末によって送信された前記第２端末のＷｉ−Ｆｉ  Ｄｉｒｅｃｔコンフィギュレーション情報を受信するステップであって、前記第２端末のＷｉ−Ｆｉ  Ｄｉｒｅｃｔコンフィギュレーション情報は前記第２端末のグループ情報を有する、受信するステップを有し、
前記交換されたＷｉ−Ｆｉ  Ｄｉｒｅｃｔコンフィギュレーション情報に従って前記第１端末と前記第２端末との間のＷｉ−Ｆｉ  Ｄｉｒｅｃｔ接続を確立するステップは、
前記第１端末が前記第１端末のグループ情報と前記第２端末のグループ情報とに従って前記第１端末と前記第２端末との何れもが既存のグループのメンバーでないと判断した場合、前記第１端末が、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するステップ、又は、
前記第１端末が前記第１端末のグループ情報と前記第２端末のグループ情報とに従って前記第１端末と前記第２端末との少なくとも１つが既存のグループのメンバーであると判断した場合、前記第１端末が、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップ、
を有する。
【０００８】
第１の態様の第１の可能な実現方式を参照して、第１の態様の第２の可能な実現方式では、前記第２端末のＷｉ−Ｆｉ  Ｄｉｒｅｃｔコンフィギュレーション情報は更に、前記第２端末のグループオーナ意図、前記第２端末におけるＭＡＣ（Ｍｅｄｉａ  Ａｃｃｅｓｓ  Ｃｏｎｔｒｏｌ）エンティティの個数及び各ＭＡＣエンティティのアドレスを有し、
前記第２端末のグループ情報は、前記第２端末が既存のグループのメンバーでないこと、前記第２端末が前記第２端末が属する既存のグループのグループオーナであること、又は前記第２端末が前記第２端末が属する既存のグループのクライアントであることを有し、
前記第１端末のＷｉ−Ｆｉ  Ｄｉｒｅｃｔコンフィギュレーション情報は、前記第１端末のグループ情報を有し、
前記第１端末のグループ情報は、前記第１端末が既存のグループのメンバーでないこと、前記第１端末が前記第１端末が属する既存のグループのグループオーナであること、又は前記第１端末が前記第１端末が属する既存のグループのクライアントであることを有し、
前記第１端末のＷｉ−Ｆｉ  Ｄｉｒｅｃｔコンフィギュレーション情報は更に、前記第１端末のグループオーナ意図、前記第１端末におけるＭＡＣエンティティの個数及び各ＭＡＣエンティティのアドレスを有し、
前記作成予定の新たなグループのＷｉ−Ｆｉ  Ｄｉｒｅｃｔコンフィギュレーション情報は、前記作成予定の新たなグループの識別子、前記作成予定の新たなグループのベーシックサービスセット識別子、前記作成予定の新たなグループの動作チャネル、前記第１端末のグループオーナ意図、前記作成予定の新たなグループのＩＰベースアドレス及び前記作成予定の新たなグループにおける前記第１端末によって用いられるＭＡＣエンティティのアドレスを有する。
【０００９】
第２の態様では、本発明は、第１端末である端末であって、
前記第１端末と第２端末との間のニアフィールド通信接続を介し前記第２端末により送信される前記第２端末のＷｉ−Ｆｉ（Ｗｉｒｅｌｅｓｓ  Ｆｉｄｅｌｉｔｙ）  Ｄｉｒｅｃｔコンフィギュレーション情報を受信するよう構成される受信モジュールであって、前記第２端末のＷｉ−Ｆｉ  Ｄｉｒｅｃｔコンフィギュレーション情報は前記第２端末のグループ情報を有する、受信モジュールと、
前記受信モジュールにより受信された前記第１端末のグループ情報と前記第２端末のグループ情報とに従って、前記第１端末と前記第２端末との何れも既存のグループのメンバーでないと判断するか、又は前記受信モジュールにより受信された前記第１端末のグループ情報と前記第２端末のグループ情報とに従って、前記第１端末と前記第２端末との少なくとも１つが既存のグループのメンバーであると判断するよう構成される判定モジュールと、
前記判定モジュールが前記第１端末と前記第２端末との何れも既存のグループのメンバーでないと判断すると、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するか、又は前記判定モジュールが前記第１端末と前記第２端末との少なくとも１つが既存のグループのメンバーであると判断すると、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される確立モジュールと、
を有する端末を提供する。
【００１０】
第２の態様の第１の可能な実現方式では、前記受信モジュールにより受信される前記第２端末のＷｉ−Ｆｉ  Ｄｉｒｅｃｔコンフィギュレーション情報は更に、前記第２端末のグループオーナ意図、前記第２端末におけるＭＡＣ（Ｍｅｄｉａ  Ａｃｃｅｓｓ  Ｃｏｎｔｒｏｌ）エンティティの個数及び各ＭＡＣエンティティのアドレスを有し、
前記第２端末のグループ情報は、前記第２端末が既存のグループのメンバーでないこと、前記第２端末が前記第２端末が属する既存のグループのグループオーナであること、又は前記第２端末が前記第２端末が属する既存のグループのクライアントであることを有し、
前記第１端末のＷｉ−Ｆｉ  Ｄｉｒｅｃｔコンフィギュレーション情報は、前記第１端末のグループ情報を有し、
前記第１端末のグループ情報は、前記第１端末が既存のグループのメンバーでないこと、前記第１端末が前記第１端末が属する既存のグループのグループオーナであること、又は前記第１端末が前記第１端末が属する既存のグループのクライアントであることを有し、
前記第１端末のＷｉ−Ｆｉ  Ｄｉｒｅｃｔコンフィギュレーション情報は更に、前記第１端末のグループオーナ意図、前記第１端末におけるＭＡＣエンティティの個数及び各ＭＡＣエンティティのアドレスを有し、
前記作成予定の新たなグループのＷｉ−Ｆｉ  Ｄｉｒｅｃｔコンフィギュレーション情報は、前記作成予定の新たなグループの識別子、前記作成予定の新たなグループのベーシックサービスセット識別子、前記作成予定の新たなグループの動作チャネル、前記第１端末のグループオーナ意図、前記作成予定の新たなグループのＩＰベースアドレス及び前記作成予定の新たなグループにおける前記第１端末により利用されるＭＡＣエンティティのアドレスを有する。
【００１１】
第３の態様では、本発明は、第１端末である端末であって、
前記第１端末と第２端末との間のニアフィールド通信接続を介し前記第２端末に前記第１端末のＷｉ−Ｆｉ（Ｗｉｒｅｌｅｓｓ  Ｆｉｄｅｌｉｔｙ）  Ｄｉｒｅｃｔコンフィギュレーション情報を送信するよう構成される送信モジュールであって、前記第１端末のＷｉ−Ｆｉ  Ｄｉｒｅｃｔコンフィギュレーション情報は前記第１端末のグループ情報を有する、送信モジュールと、
前記第１端末と前記第２端末との何れも既存のグループのメンバーでないとき、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するか、又は、前記第１端末と前記第２端末との少なくとも１つが既存のグループのメンバーであるとき、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するよう構成される確立モジュールと、
を有する端末を提供する。
【００１２】
第３の態様の第１の可能な実現方式では、前記送信モジュールにより送信される前記第１端末のＷｉ−Ｆｉ  Ｄｉｒｅｃｔコンフィギュレーション情報は更に、前記第１端末のグループオーナ意図、前記第１端末におけるＭＡＣ（Ｍｅｄｉａ  Ａｃｃｅｓｓ  Ｃｏｎｔｒｏｌ）エンティティの個数及び各ＭＡＣエンティティのアドレスを有し、
前記第１端末のグループ情報は、前記第１端末が既存のグループのメンバーでないこと、前記第１端末が前記第１端末が属する既存のグループのグループオーナであること、又は前記第１端末が前記第１端末が属する既存のグループのクライアントであることを有し、
前記第２端末のＷｉ−Ｆｉ  Ｄｉｒｅｃｔコンフィギュレーション情報は、前記第２端末のグループ情報、前記第２端末のグループオーナ意図、前記第２端末におけるＭＡＣエンティティの個数及び各ＭＡＣエンティティのアドレスを有し、
前記第２端末のグループ情報は、前記第２端末が既存のグループのメンバーでないこと、前記第２端末が前記第２端末が属する既存のグループのグループオーナであること、又は前記第２端末が前記第２端末が属する既存のグループのクライアントであることを有し、
前記作成予定の新たなグループのＷｉ−Ｆｉ  Ｄｉｒｅｃｔコンフィギュレーション情報は、前記作成予定の新たなグループの識別子、前記作成予定の新たなグループのベーシックサービスセット識別子、前記作成予定の新たなグループの動作チャネル、前記第２端末のグループオーナ意図、前記作成予定の新たなグループのＩＰベースアドレス及び前記作成予定の新たなグループにおける前記第２端末により利用されるＭＡＣエンティティのアドレスを有する。
【００１３】
第４の態様では、本発明は、第１端末である端末であって、
少なくとも１つのプロセッサとメモリとを有し、
前記メモリは、実行可能なプログラムコードを格納するよう構成され、
前記プロセッサは、前記メモリに格納される実行可能なプログラムコードを読み出すことによって、前記実行可能なプログラムコードに対応するプログラムを実行し、
前記第１端末と第２端末との間のニアフィールド通信接続を介し前記第２端末により送信される前記第２端末のＷｉ−Ｆｉ  Ｄｉｒｅｃｔコンフィギュレーション情報を受信するステップであって、前記第２端末のＷｉ−Ｆｉ  Ｄｉｒｅｃｔコンフィギュレーション情報は前記第２端末のグループ情報を有する、受信するステップと、
前記第１端末のグループ情報と前記第２端末のグループ情報とに従って、前記第１端末と前記第２端末との何れも既存のグループのメンバーでないと判断された場合、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するか、又は、前記第１端末のグループ情報と前記第２端末のグループ情報とに従って、前記第１端末と前記第２端末との少なくとも１つが既存のグループのメンバーであると判断された場合、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップと、
を実行するよう構成される端末を提供する。
【００１４】
第５の態様では、本発明は、第１端末である端末であって、
少なくとも１つのプロセッサとメモリとを有し、
前記メモリは、実行可能なプログラムコードを格納するよう構成され、
前記プロセッサは、前記メモリに格納される実行可能なプログラムコードを読み出すことによって、前記実行可能なプログラムコードに対応するプログラムを実行し、
前記第１端末と第２端末との間のニアフィールド通信接続を介し前記第２端末に前記第１端末のＷｉ−Ｆｉ  Ｄｉｒｅｃｔコンフィギュレーション情報を送信するステップであって、前記第１端末のＷｉ−Ｆｉ  Ｄｉｒｅｃｔコンフィギュレーション情報は前記第１端末のグループ情報を有する、送信するステップと、
前記第１端末と前記第２端末との何れも既存のグループのメンバーでない場合、前記第１端末のＷｉ−Ｆｉ  Ｄｉｒｅｃｔコンフィギュレーション情報と前記第２端末のＷｉ−Ｆｉ  Ｄｉｒｅｃｔコンフィギュレーション情報とに従って前記第２端末とのＷｉ−Ｆｉ  Ｄｉｒｅｃｔ接続を確立するか、又は、前記第１端末と前記第２端末との少なくとも１つが既存のグループのメンバーである場合、前記既存のグループ又は作成予定の新たなグループのＷｉ−Ｆｉ  Ｄｉｒｅｃｔコンフィギュレーション情報に従って前記第２端末とのＷｉ−Ｆｉ  Ｄｉｒｅｃｔ接続を確立するステップと、
を実行するよう構成される端末を提供する。
【発明の効果】
【００１５】
本発明では、第１端末と第２端末とは、ＮＦＣ接続を利用することによってＷｉ−Ｆｉ  Ｄｉｒｅｃｔコンフィギュレーション情報を交換し、デバイス検出手順とＧＯネゴシエーション手順とが交換処理に暗黙的に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続の確立手順を簡単化することができる。さらに、Ｗｉ−Ｆｉ  Ｄｉｒｅｃｔプロトコルは、Ｗｉ−Ｆｉ  Ｄｉｒｅｃｔグループのクライアントが他のグループのＧＯ又はクライアントをアクティブには検出できないことを指定する。このシナリオでは、Ｗｉ−Ｆｉ  Ｄｉｒｅｃｔ接続は、無線シグナリングを利用することによって確立することはできず、当該制約は、本発明により提供される技術的手段が利用されるときには存在しない。第１端末と第２端末とがＮＦＣ通信範囲内にある限り、第１端末と第２端末とはコンフィギュレーション情報を交換可能であり、双方は第１端末と第２端末との間のＷｉ−Ｆｉ  Ｄｉｒｅｃｔ接続を確立できる。
【図面の簡単な説明】
【００１６】
本発明の実施例又は先行技術における技術的手段をより明確に説明するため、以下において、実施例又は先行技術を説明するのに必要とされる添付図面が簡単に紹介される。明らかに、以下の説明における添付図面は本発明のいくつかの実施例を示し、当業者は創造的な努力なくこれらの添付図面から他の図面を依然として導出してもよい。
【図１】図１は、本発明による通信接続を確立する方法の実施例のフローチャートである。
【図２】図２は、本発明によるアプリケーションシナリオの実施例の概略図である。
【図３】図３は、本発明による通信接続を確立する方法の他の実施例のフローチャートである。
【図４】図４は、本発明による接続ハンドオーバリクエストのフォーマットの実施例の概略図である。
【図５】図５は、本発明による接続ハンドオーバレスポンスのフォーマットの実施例の概略図である。
【図６Ａ】図６Ａは、本発明による通信接続を確立する方法の更なる他の実施例のフローチャートである。
【図６Ｂ】図６Ｂは、本発明による通信接続を確立する方法の更なる他の実施例のフローチャートである。
【図６Ｃ】図６Ｃは、本発明による通信接続を確立する方法の更なる他の実施例のフローチャートである。
【図６Ｄ】図６Ｄは、本発明による通信接続を確立する方法の更なる他の実施例のフローチャートである。
【図７】図７は、本発明による接続ハンドオーバリクエストのフォーマットの他の実施例の概略図である。
【図８】図８は、本発明による接続ハンドオーバレスポンスのフォーマットの他の実施例の概略図である。
【図９Ａ】図９Ａは、本発明による通信接続を確立する方法の更なる他の実施例のフローチャートである。
【図９Ｂ】図９Ｂは、本発明による通信接続を確立する方法の更なる他の実施例のフローチャートである。
【図１０】図１０は、本発明による接続ハンドオーバリクエストのフォーマットの更なる他の実施例の概略図である。
【図１１】図１１は、本発明による接続ハンドオーバレスポンスのフォーマットの更なる他の実施例の概略図である。
【図１２】図１２は、本発明による端末の実施例の概略的な構成図である。
【図１３】図１３は、本発明による端末の他の実施例の概略的な構成図である。
【図１４】図１４は、本発明による端末の更なる他の実施例の概略的な構成図である。
【図１５】図１５は、本発明による端末の更なる他の実施例の概略的な構成図である。
【図１６】図１６は、本発明による端末の更なる他の実施例の概略的な構成図である。
【図１７】図１７は、本発明による端末の更なる他の実施例の概略的な構成図である。
【発明を実施するための形態】
【００１７】
本発明の実施例の課題、技術的手段及び効果をより明確にするため、以下において、本発明の実施例における添付図面を参照して、本発明の実施例における技術的手段が明確かつ完全に説明される。明らかに、説明された実施例は本発明の実施例の全てというよりも一部である。創造的な努力なく本発明の実施例に基づき当業者により取得される他の全ての実施例は、本発明の保護範囲内に属する。
【００１８】
図１は、本発明による通信接続を確立する方法の実施例のフローチャートである。図１に示されるように、通信接続を確立する方法は以下を含むものであってもよい。
【００１９】
ステップ１０１：第１端末が、第１端末と第２端末との間のニアフィールド通信（ＮＦＣ）接続を介し第２端末とＷｉ−Ｆｉ  Ｄｉｒｅｃｔコンフィギュレーション情報を交換し、ここで、交換されるＷｉ−Ｆｉ  Ｄｉｒｅｃｔコンフィギュレーション情報は第１端末又は第２端末のグループ情報を有する。
【００２０】
ステップ１０２：交換されたＷｉ−Ｆｉ  Ｄｉｒｅｃｔコンフィギュレーション情報に従って第１端末と第２端末との間のＷｉ−Ｆｉ  Ｄｉｒｅｃｔ接続を確立する。
【００２１】
具体的には、一実施例では、第１端末が、第１端末と第２端末との間のＮＦＣ接続を介し第２端末とＷｉ−Ｆｉ  Ｄｉｒｅｃｔコンフィギュレーション情報を交換するステップ１０１は、第１端末が、ＮＦＣ接続を介し第２端末により送信される第２端末のＷｉ−Ｆｉ  Ｄｉｒｅｃｔコンフィギュレーション情報を受信することであってもよい。
【００２２】
第２端末のＷｉ−Ｆｉ  Ｄｉｒｅｃｔコンフィギュレーション情報は、第２端末のグループ情報を含む。
【００２３】
Ｗｉ−Ｆｉ  Ｄｉｒｅｃｔ接続が交換されたＷｉ−Ｆｉ  Ｄｉｒｅｃｔコンフィギュレーション情報に従って第１端末と第２端末との間で確立されるステップ１０２は、第１端末が第１端末のグループ情報と第２端末のグループ情報とに従って第１端末と第２端末との何れもが既存のグループのメンバーでないと判断した場合、第１端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は、第１端末が第１端末のグループ情報と第２端末のグループ情報とに従って第１端末と第２端末との少なくとも１つが既存のグループのメンバーであると判断した場合、第１端末が、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００２４】
本実施例では、第１端末が作成予定の新たなグループのＷｉ−Ｆｉ  Ｄｉｒｅｃｔコンフィギュレーション情報に従って第２端末とＷｉ−Ｆｉ  Ｄｉｒｅｃｔ接続を確立することは、第１端末が第２端末と新たなグループを作成することを意味することに留意すべきである。
【００２５】
本実施例では、第１端末のＷｉ−Ｆｉ  Ｄｉｒｅｃｔコンフィギュレーション情報は、第１端末のグループ情報を有し、ここで、第１端末のグループ情報の値は、第１端末が既存のグループのメンバーでないこと、第１端末が第１端末が属する既存のグループのグループオーナであること、又は第１端末が第１端末が属する既存のグループのクライアントであることであってもよく、さらに、第１端末のＷｉ−Ｆｉ  Ｄｉｒｅｃｔコンフィギュレーション情報は更に、第１端末のグループオーナ意図、第１端末におけるＭＡＣエンティティの個数及び各ＭＡＣエンティティのアドレスを有してもよく、
第２端末のＷｉ−Ｆｉ  Ｄｉｒｅｃｔコンフィギュレーション情報は更に、第２端末のグループオーナ意図、第２端末におけるＭＡＣエンティティの個数及び各ＭＡＣエンティティのアドレスを有し、ここで、第２端末のグループ情報の値は、第２端末が既存のグループのメンバーでないこと、第２端末が第２端末が属する既存のグループのグループオーナであること、又は第２端末が第２端末が属する既存のグループのクライアントであることであってもよく、
作成予定の新たなグループのＷｉ−Ｆｉ  Ｄｉｒｅｃｔコンフィギュレーション情報は、作成予定の新たなグループの識別子、作成予定の新たなグループのベーシックサービスセット識別子（ＢＳＳＩＤ）、作成予定の新たなグループの動作チャネル、第１端末のグループオーナ意図、作成予定の新たなグループのＩＰベースアドレス及び作成予定の新たなグループにおける第１端末によって用いられるＭＡＣエンティティのアドレスを有する。
【００２６】
本実施例の一実現方式では、第１端末が第１端末のグループ情報と第２端末のグループ情報とに従って第１端末と第２端末との何れもが既存のグループのメンバーでないと判断した場合、第１端末が第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立することは、第１端末が第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定し、その後、第１端末がＮＦＣ接続を介し第２端末に作成予定の新たなグループのＷｉ−Ｆｉ  Ｄｉｒｅｃｔコンフィギュレーション情報を送信し、最後に、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００２７】
例えば、作成予定の新たなグループの識別子を設定するときなど、作成予定の新たなグループのＷｉ−Ｆｉ  Ｄｉｒｅｃｔコンフィギュレーション情報を設定する際、第１端末は、第１端末のＷｉ−Ｆｉ  Ｄｉｒｅｃｔコンフィギュレーション情報におけるグループ識別子を利用するか、第２端末のＷｉ−Ｆｉ  Ｄｉｒｅｃｔコンフィギュレーション情報におけるグループ識別子もまた利用するか、第１端末のＷｉ−Ｆｉ  Ｄｉｒｅｃｔコンフィギュレーション情報におけるグループ識別子を利用しないか、又は、第２端末のＷｉ−Ｆｉ  Ｄｉｒｅｃｔコンフィギュレーション情報におけるグループ識別子を利用せず、作成予定の新たなグループについて新たな識別子を設定してもよい。同様に、作成予定の新たなグループのＢＳＳＩＤ、作成予定の新たなグループの動作チャネル、作成予定の新たなグループのＩＰベースアドレス及び作成予定の新たなグループにおいて利用されるＭＡＣエンティティのアドレスはまた上述したように設定されてもよく、すなわち、第１端末又は第２端末のＷｉ−Ｆｉ  Ｄｉｒｅｃｔコンフィギュレーション情報に含まれる対応する情報が利用されてもよく、又は、新たな値が設定される。詳細はここでは繰り返されない。
【００２８】
本実施例の他の実現方式では、第１端末が第１端末のグループ情報と第２端末のグループ情報とに従って第１端末と第２端末との少なくとも１つが既存のグループのメンバーであると判断することは、
第１端末が、第１端末のグループ情報と第２端末のグループ情報とに従って第１端末が既存のグループのメンバーであり、第２端末が既存のグループのメンバーでないことを判断することであってもよい。
【００２９】
さらに、第１端末が、ＮＦＣ接続を介し第２端末によって送信される第２端末のデフォルト設定を受信する。具体的には、第２端末のデフォルト設定は、第２端末のＷｉ−Ｆｉ  Ｄｉｒｅｃｔコンフィギュレーション情報に含まれ、第１端末に送信されてもよいか、又は、デフォルト設定はまた、第２端末のＷｉ−Ｆｉ  Ｄｉｒｅｃｔコンフィギュレーション情報に含まれなくてもよく、第２端末のＷｉ−Ｆｉ  Ｄｉｒｅｃｔコンフィギュレーション情報と共に第１端末に送信され、ここで、デフォルト設定は、第２端末が第１端末が属する既存のグループに加わることを要求しているか、又は第２端末が第１端末と新たなグループを作成することを要求していることを反映する。
【００３０】
本実現方式の特定の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が第２端末のデフォルト設定に従って第２端末が第１端末が属する既存のグループに加入することを要求していると判断し、第１端末が第１端末のグループ情報に従って第１端末が第１端末が属する既存のグループのグループオーナであると判断した場合、第２端末が既存のグループのＷｉ−Ｆｉ  Ｄｉｒｅｃｔコンフィギュレーション情報に従って第２端末のＷｉ−Ｆｉ  Ｄｉｒｅｃｔコンフィギュレーション情報におけるグループオーナ意図の値を第１端末のＷｉ−Ｆｉ  Ｄｉｒｅｃｔコンフィギュレーション情報におけるグループオーナ意図の値より小さい値に設定するように、第１端末が、ＮＦＣ接続を介し第２端末に第１端末が属する既存のグループのＷｉ−Ｆｉ  Ｄｉｒｅｃｔコンフィギュレーション情報を送信し、このようにして、第２端末は、第１端末が属する既存のグループに加わるためクライアントとして利用可能であり、その後、第１端末が、既存のグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００３１】
本実現方式の他の特定の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が第２端末のデフォルト設定に従って第２端末が第１端末が属する既存のグループに加入することを要求していると判断し、第１端末が第１端末のグループ情報に従って第１端末が第１端末が属する既存のグループのクライアントであると判断した場合、第２端末がグループオーナの記述情報に従って既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報における暗号化情報を受信するように、第１端末が、ＮＦＣ接続を介し第２端末に既存のグループのＷｉ−Ｆｉ  Ｄｉｒｅｃｔコンフィギュレーション情報における暗号化情報と既存のグループのグループオーナの記述情報とを除くコンフィギュレーション情報を送信し、このようにして、第２端末は、第１端末が属する既存のグループの全てのＷｉ−Ｆｉ  Ｄｉｒｅｃｔコンフィギュレーション情報を取得し、その後、第１端末が、既存のグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００３２】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第２端末のデフォルト設定に従って第２端末が第１端末と新たなグループを作成することを要求していると判断し、第１端末が少なくとも１つの未使用のＭＡＣエンティティを有すると第１端末が判断した場合、第１端末が、作成予定の新たなグループにおいて第１端末により使用されるＭＡＣエンティティとして第１端末における未使用のＭＡＣエンティティから１つを選択し、作成予定の新たなグループのＷｉ−Ｆｉ  Ｄｉｒｅｃｔコンフィギュレーション情報を設定し、その後、第１端末が、ＮＦＣ接続を介し第２端末に作成予定の新たなグループのＷｉ−Ｆｉ  Ｄｉｒｅｃｔコンフィギュレーション情報を送信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、作成予定の新たなグループのＷｉ−Ｆｉ  Ｄｉｒｅｃｔコンフィギュレーション情報は第１端末が属する既存のグループのＷｉ−Ｆｉ  Ｄｉｒｅｃｔコンフィギュレーション情報と矛盾せず、作成予定の新たなグループのＷｉ−Ｆｉ  Ｄｉｒｅｃｔコンフィギュレーション情報は更に第１端末のグループ情報を有する。具体的には、作成予定の新たなグループのＷｉ−Ｆｉ  Ｄｉｒｅｃｔコンフィギュレーション情報を設定する際、第１端末は、第２端末のＷｉ−Ｆｉ  Ｄｉｒｅｃｔコンフィギュレーション情報の一部又は全てを利用してもよいか、あるいは、第２端末のＷｉ−Ｆｉ  Ｄｉｒｅｃｔコンフィギュレーション情報を利用せず、作成予定の新たなグループの新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が、第１端末が属する既存のグループのＷｉ−Ｆｉ  Ｄｉｒｅｃｔコンフィギュレーション情報と矛盾しない限り、第１端末が作成予定の新たなグループのＷｉ−Ｆｉ  Ｄｉｒｅｃｔコンフィギュレーション情報を設定する方法を限定しない。
【００３３】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第２端末のデフォルト設定に従って第２端末が第１端末と新たなグループを作成することを要求していると判断し、第１端末が第１端末における全てのＭＡＣエンティティが使用されていると判断した場合、第１端末が、第１端末が属する既存のグループをやめるか第１端末を利用するユーザに促し、第１端末を利用するユーザが第１端末が属する既存のグループをやめることを選択した場合、第１端末が、第１端末が属する既存のグループをやめ、その後、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定することであってもよく、ここで、第１端末のグループオーナ意図の値は作成予定の新たなグループのＷｉ−Ｆｉ  Ｄｉｒｅｃｔコンフィギュレーション情報における第２端末のグループオーナ意図の値と異なり、次に、第１端末が、ＮＦＣ接続を介し第２端末に作成予定の新たなグループのＷｉ−Ｆｉ  Ｄｉｒｅｃｔコンフィギュレーション情報を送信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００３４】
本実施例の更なる他の実現方式では、第１端末が第１端末のグループ情報と第２端末のグループ情報とに従って第１端末と第２端末との少なくとも１つが既存のグループのメンバーであると判断することは、第１端末が、第１端末のグループ情報と第２端末のグループ情報とに従って、第２端末が既存のグループのメンバーであり、第１端末が既存のメンバーでないと判断することであってもよい。
【００３５】
本実現方式の特定の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のデフォルト設定に従って第１端末が第２端末が属する既存のグループに加わることを要求していると判断し、第１端末が第２端末のグループ情報に従って第２端末が第２端末が属する既存のグループのグループオーナであると判断した場合、第１端末が、第１端末のＷｉ−Ｆｉ  Ｄｉｒｅｃｔコンフィギュレーション情報におけるグループオーナ意図の値を第２端末のＷｉ−Ｆｉ  Ｄｉｒｅｃｔコンフィギュレーション情報におけるグループオーナ意図の値より小さい値に設定し、これにより、第１端末は第２端末が属する既存のグループのクライアントとして既存のグループに加わることが可能となり、その後、第１端末が、第２端末のＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、第２端末のＷｉ−Ｆｉ  Ｄｉｒｅｃｔコンフィギュレーション情報は第２端末が属する既存のグループのＷｉ−Ｆｉ  Ｄｉｒｅｃｔコンフィギュレーション情報である。
【００３６】
本実現方式の他の特定の実現方式では、第２端末が第２端末が属する既存のグループのクライアントであるとき、第２端末のＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報における暗号化情報を除くコンフィギュレーション情報であり、更に、第１端末が、ＮＦＣ接続を介し第２端末により送信され、第２端末が属する既存のグループのグループオーナの記述情報を受信する。具体的には、第２端末が属する既存のグループのグループオーナの記述情報は、第２端末のＷｉ−Ｆｉ  Ｄｉｒｅｃｔコンフィギュレーション情報に含まれてもよいか、又は、第２端末が属する既存のグループのグループオーナの記述情報はまた、第２端末のＷｉ−Ｆｉ  Ｄｉｒｅｃｔコンフィギュレーション情報に含まれなくてもよく、第２端末のＷｉ−Ｆｉ  Ｄｉｒｅｃｔコンフィギュレーション情報と共に第１端末に送信される。
【００３７】
このようにして、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のデフォルト設定に従って、第１端末が第２端末が属する既存のグループに加わることを要求していると判断し、第１端末が、第２端末が属する既存のグループのグループオーナの記述情報に従って、第２端末が属する既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報において暗号化情報を受信し、その後、第１端末が、既存のグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００３８】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のデフォルト設定に従って第１端末が第２端末と新たなグループを作成することを要求していると判断し、第１端末が第２端末が少なくとも１つの未使用のＭＡＣエンティティを有すると判断した場合、第１端末が、第２端末における未使用のＭＡＣエンティティから１つを選択し、作成予定の新たなグループのＷｉ−Ｆｉ  Ｄｉｒｅｃｔコンフィギュレーション情報を設定し、その後、第１端末が、ＮＦＣ接続を介し第２端末に作成予定の新たなグループのＷｉ−Ｆｉ  Ｄｉｒｅｃｔコンフィギュレーション情報を送信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００３９】
作成予定の新たなグループのＷｉ−Ｆｉ  Ｄｉｒｅｃｔコンフィギュレーション情報は更に第２端末から第１端末によって選択されたＭＡＣエンティティのアドレスを有し、作成予定の新たなグループのＷｉ−Ｆｉ  Ｄｉｒｅｃｔコンフィギュレーション情報は第２端末が属する既存のグループのＷｉ−Ｆｉ  Ｄｉｒｅｃｔコンフィギュレーション情報と矛盾しない。具体的には、作成予定の新たなグループのＷｉ−Ｆｉ  Ｄｉｒｅｃｔコンフィギュレーション情報を設定する際、第１端末は、第１端末のＷｉ−Ｆｉ  Ｄｉｒｅｃｔコンフィギュレーション情報の一部又は全てを利用してもよいか、あるいは、第１端末のＷｉ−Ｆｉ  Ｄｉｒｅｃｔコンフィギュレーション情報を利用せず、作成予定の新たなグループの新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が、第２端末が属する既存のグループのＷｉ−Ｆｉ  Ｄｉｒｅｃｔコンフィギュレーション情報と矛盾しない限り、第１端末が作成予定の新たなグループのＷｉ−Ｆｉ  Ｄｉｒｅｃｔコンフィギュレーション情報を設定する方法を限定しない。
【００４０】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のデフォルト設定に従って第１端末が第２端末と新たなグループを作成することを要求していると判断し、第１端末が第２端末が少なくとも１つの未使用のＭＡＣエンティティを有すると判断した場合、第１端末が、作成予定の新たなグループのＷｉ−Ｆｉ  Ｄｉｒｅｃｔコンフィギュレーション情報を設定し、ここで、作成予定の新たなグループのＷｉ−Ｆｉ  Ｄｉｒｅｃｔコンフィギュレーション情報は第２端末が属する既存のグループのＷｉ−Ｆｉ  Ｄｉｒｅｃｔコンフィギュレーション情報と矛盾せず、その後、第２端末が第２端末における未使用のＭＡＣエンティティから１つを選択し、作成予定の新たなグループのＷｉ−Ｆｉ  Ｄｉｒｅｃｔコンフィギュレーション情報に従って第１端末とのＷｉ−Ｆｉ  Ｄｉｒｅｃｔ接続を確立するように、前記第１端末が、ＮＦＣ接続を介し第２端末に作成予定の新たなグループのＷｉ−Ｆｉ  Ｄｉｒｅｃｔコンフィギュレーション情報を送信することであってもよい。具体的には、作成予定の新たなグループのＷｉ−Ｆｉ  Ｄｉｒｅｃｔコンフィギュレーション情報を設定する際、第１端末は、第１端末のＷｉ−Ｆｉ  Ｄｉｒｅｃｔコンフィギュレーション情報の一部又は全てを利用してもよいか、あるいは、第１端末のＷｉ−Ｆｉ  Ｄｉｒｅｃｔコンフィギュレーション情報を利用せず、作成予定の新たなグループの新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が、第２端末が属する既存のグループのＷｉ−Ｆｉ  Ｄｉｒｅｃｔコンフィギュレーション情報と矛盾しない限り、第１端末が作成予定の新たなグループのＷｉ−Ｆｉ  Ｄｉｒｅｃｔコンフィギュレーション情報を設定する方法を限定しない。
【００４１】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のデフォルト設定に従って第１端末が第２端末と新たなグループを作成することを要求していると判断し、第１端末が第２端末における全てのＭＡＣエンティティが利用されると判断した場合、第２端末が、第２端末が属する既存のグループをやめるか第２端末を利用するユーザを促し、第２端末を利用するユーザが第２端末が属する既存のグループをやめることを選択した後、第２端末が属する既存のグループをやめ、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定し、作成予定の新たなグループのＷｉ−Ｆｉ  Ｄｉｒｅｃｔコンフィギュレーション情報に従って第１端末とのＷｉ−Ｆｉ  Ｄｉｒｅｃｔ接続を確立するように、第１端末が、第１端末が第２端末と新たなグループを作成することを要求しているという通知を第２端末に送信することであってもよい。
【００４２】
本実施例の更なる他の実現方式では、第１端末が第１端末のグループ情報と第２端末のグループ情報とに従って第１端末と第２端末との少なくとも１つが既存のグループのメンバーであると判断することは、第１端末が第１端末のグループ情報と第２端末のグループ情報とに従って第１端末と第２端末との双方が既存のグループのメンバーであると判断することであってもよい。
【００４３】
本実現方式の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、第１端末と第２端末とが同じグループに属さず、第１端末と第２端末との双方が少なくとも１つの未使用のＭＡＣエンティティを有すると判断し、第１端末が、第１端末のグループ情報と第２端末のグループ情報とに従って、第１端末と第２端末との少なくとも１つがグループオーナであると判断した場合、第１端末が、作成予定の新たなグループにおける第１端末により利用されるＭＡＣエンティティとして第１端末における未使用のＭＡＣエンティティからの１つを選択し、第２端末における未使用のＭＡＣエンティティからの１つを選択し、その後、作成予定の新たなグループのＷｉ−Ｆｉ  Ｄｉｒｅｃｔコンフィギュレーション情報を設定することであってもよく、ここで、作成予定の新たなグループのＷｉ−Ｆｉ  Ｄｉｒｅｃｔコンフィギュレーション情報は更に、第２端末から第１端末によって選択されたＭＡＣエンティティのアドレスを有してもよく、最後に、第１端末が、ＮＦＣ接続を介し第２端末に作成予定の新たなグループのＷｉ−Ｆｉ  Ｄｉｒｅｃｔコンフィギュレーション情報を送信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００４４】
本実施例では、第１端末と第２端末との一方のみが既存のグループにおけるグループオーナである場合、既存のグループにおいてグループオーナである端末は、新たなグループにおけるクライアントでなければならず、当該端末のグループオーナ意図の値は、新たなグループのＷｉ−Ｆｉ  Ｄｉｒｅｃｔコンフィギュレーション情報におけるピアエンドのグループオーナ意図の値より小さくなるよう設定される必要があり、第１端末と第２端末との双方が既存のグループにおけるグループオーナである場合、新たなグループのＷｉ−Ｆｉ  Ｄｉｒｅｃｔコンフィギュレーション情報における２つの端末のグループオーナ意図は、これら２つの端末のグループオーナ意図の値が異なって設定される限り、ランダムに設定されてもよい。
【００４５】
本実現方式の他の特定の実現方式では、第１端末が既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第１端末と第２端末とが同じグループに属さないと判断し、第１端末が、第１端末のグループ情報と第２端末のグループ情報とに従って第１端末と第２端末との何れもグループオーナでないと判断した場合、又は、第１端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第１端末と第２端末とが同じグループに属さず、第１端末及び／又は第２端末における全てのＭＡＣエンティティが利用されると判断した場合、第１端末が、第１端末が属する既存のグループをやめるか第１端末を利用するユーザに促し、第２端末が属する既存のグループをやめるか第２端末を利用したユーザに促すよう第２端末に指示し、第１端末を利用するユーザが第１端末が属する既存のグループをやめることを選択した後、及び／又は第２端末を利用するユーザが第２端末が属する既存のグループをやめることを選択した後、第１端末が、端末が属する既存のグループをやめない端末のＷｉ−Ｆｉ  Ｄｉｒｅｃｔコンフィギュレーション情報又は作成予定の新たなグループのＷｉ−Ｆｉ  Ｄｉｒｅｃｔコンフィギュレーション情報に従って、第２端末とのＷｉ−Ｆｉ  Ｄｉｒｅｃｔ接続を確立することであってもよい。
【００４６】
第１端末又は第２端末が当初の接続を確保するだけでなく、新たな接続を確立する場合、端末は、２つのグループの双方においてクライアントとして利用できない。具体的には、端末が当初の接続においてクライアントとして利用される場合、端末は新たな接続におけるグループオーナとして利用される必要があり、端末が当初の接続においてグループオーナとして利用される場合、端末は、新たなグループにおけるグループオーナ又はクライアントとして利用可能である。
【００４７】
具体的には、他の実施例では、第１端末が第１端末と第２端末との間のＮＦＣ接続を介し第２端末とのＷｉ−Ｆｉ  Ｄｉｒｅｃｔコンフィギュレーション情報を交換するステップ１０１は、第１端末が、第１端末と第２端末との間のＮＦＣ接続を介し第２端末に第１端末のＷｉ−Ｆｉ  Ｄｉｒｅｃｔコンフィギュレーション情報を送信することであってもよく、ここで、第１端末のＷｉ−Ｆｉ  Ｄｉｒｅｃｔコンフィギュレーション情報は第１端末のグループ情報を有する。
【００４８】
交換されたＷｉ−Ｆｉ  Ｄｉｒｅｃｔコンフィギュレーション情報に従って第１端末と第２端末との間でＷｉ−Ｆｉ  Ｄｉｒｅｃｔ接続が確立されるステップ１０２は、第１端末と第２端末との何れもが既存のグループのメンバーでない場合、第１端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は、第１端末と第２端末との少なくとも１つが既存のグループのメンバーである場合、第１端末が、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００４９】
第１端末が第２端末とのＷｉ−Ｆｉ  Ｄｉｒｅｃｔ接続を確立することは、第１端末が第２端末と新たなグループを作成することを意味することに留意すべきである。
【００５０】
この場合、第１端末のＷｉ−Ｆｉ  Ｄｉｒｅｃｔコンフィギュレーション情報は更に、第１端末のグループオーナ意図、第１端末におけるＭＡＣエンティティの個数及び各ＭＡＣエンティティのアドレスを有してもよく、第１端末のグループ情報の値は、第１端末が既存のグループのメンバーでないこと、第１端末が第１端末が属する既存のグループのグループオーナであること、又は第１端末が第１端末が属する既存のグループのクライアントであることであってもよく、
第２端末のＷｉ−Ｆｉ  Ｄｉｒｅｃｔコンフィギュレーション情報は、第２端末のグループ情報、第２端末のグループオーナ意図、第２端末におけるＭＡＣエンティティの個数及び各ＭＡＣエンティティのアドレスを有してもよく、第２端末のグループ情報の値は、第２端末が既存のグループのメンバーでないこと、第２端末が第２端末が属する既存のグループのグループオーナであること、又は第２端末が第２端末が属する既存のグループのクライアントであることであってもよく、
作成予定の新たなグループのＷｉ−Ｆｉ  Ｄｉｒｅｃｔコンフィギュレーション情報は、作成予定の新たなグループの識別子、作成予定の新たなグループのＢＳＳＩＤ、作成予定の新たなグループの動作チャネル、第２端末のグループオーナ意図、作成予定の新たなグループのＩＰベースアドレス及び作成予定の新たなグループにおける第２端末により利用されるＭＡＣエンティティのアドレスを有する。
【００５１】
本実施例の実現方式では、第１端末と第２端末との何れも既存のグループのメンバーでない場合、第１端末が第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立することは、第１端末が、ＮＦＣ接続を介し第２端末により送信される作成予定の新たなグループのＷｉ−Ｆｉ  Ｄｉｒｅｃｔコンフィギュレーション情報を受信することであってもよく、ここで、作成予定の新たなグループのＷｉ−Ｆｉ  Ｄｉｒｅｃｔコンフィギュレーション情報は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って設定され、第２端末によって第１端末に送信され、その後、第１端末が、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００５２】
本実施例の他の実現方式では、第１端末と第２端末との少なくとも１つが既存のグループのメンバーである場合、更に、第１端末が、ＮＦＣ接続を介し第２端末に第１端末のデフォルト設定を送信する。第１端末のデフォルト設定は、第１端末のＷｉ−Ｆｉ  Ｄｉｒｅｃｔコンフィギュレーション情報に含まれ、第２端末に送信されてもよいし、あるいは、第１端末のデフォルト設定はまた、第１端末のＷｉ−Ｆｉ  Ｄｉｒｅｃｔコンフィギュレーション情報に含まれなくてもよく、第１端末のＷｉ−Ｆｉ  Ｄｉｒｅｃｔコンフィギュレーション情報と共に、第２端末に送信される。第１端末のデフォルト設定は、第１端末が第２端末が属する既存のグループに加わることを要求することであるか、又は、第１端末が第２端末と新たなグループを作成することを要求することであってもよい。
【００５３】
本実現方式の特定の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が既存のグループのメンバーでなく、第２端末が既存のグループのメンバーである場合、第１端末が、ＮＦＣ接続を介し第２端末により送信された第２端末が属する既存のグループのＷｉ−Ｆｉ  Ｄｉｒｅｃｔコンフィギュレーション情報を受信することであってもよく、ここで、第２端末が、第１端末のデフォルト設定に従って第２端末が属する既存のグループに第１端末が加わることを要求していると判断し、第２端末が、第２端末のグループ情報に従って第２端末が第２端末が属する既存のグループのグループオーナであると判断した後、既存のグループのＷｉ−Ｆｉ  Ｄｉｒｅｃｔコンフィギュレーション情報は第２端末によって第１端末に送信され、その後、第１端末が、既存のグループのＷｉ−Ｆｉ  Ｄｉｒｅｃｔコンフィギュレーション情報に従って第１端末のＷｉ−Ｆｉ  Ｄｉｒｅｃｔコンフィギュレーション情報におけるグループオーナ意図の値を第２端末のＷｉ−Ｆｉ  Ｄｉｒｅｃｔコンフィギュレーション情報におけるグループオーナ意図の値より小さい値に設定し、これにより、クライアントとして利用される第１端末は、第２端末が属する既存のグループに加わり、最後に、第１端末が、既存のグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００５４】
本実現方式の他の特定の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が既存のグループのメンバーでなく、第２端末が既存のグループのメンバーであるとき、第１端末が、ＮＦＣ接続を介し第２端末により送信される第２端末が属する既存のグループのＷｉ−Ｆｉ  Ｄｉｒｅｃｔコンフィギュレーション情報における暗号化情報と既存のグループのグループオーナの記述情報とを除くコンフィギュレーション情報を受信することであってもよく、ここで、第２端末が第１端末のデフォルト設定に従って第１端末が第２端末が属する既存のグループに加わることを要求していると判断し、第２端末が、第２端末のグループ情報に従って第２端末が第２端末が属する既存のグループのクライアントであると判断した後、第２端末が属する既存のグループのＷｉ−Ｆｉ  Ｄｉｒｅｃｔコンフィギュレーション情報における暗号化情報と既存のグループのグループオーナの記述情報とを除くコンフィギュレーション情報は第２端末によって第１端末に送信され、その後、第１端末が、グループオーナの記述情報に従って既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報における暗号化情報を受信し、最後に、第１端末が、既存のグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００５５】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が既存のグループのメンバーでなく、第２端末が既存のグループのメンバーであるとき、第１端末が、ＮＦＣ接続を介し第２端末により送信される作成予定の新たなグループのＷｉ−Ｆｉ  Ｄｉｒｅｃｔコンフィギュレーション情報を受信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、第２端末が作成予定の新たなグループにおける第２端末によって利用されるＭＡＣエンティティとして第２端末における未使用のＭＡＣエンティティからの１つを選択し、作成予定の新たなグループのＷｉ−Ｆｉ  Ｄｉｒｅｃｔコンフィギュレーション情報を設定した後、第２端末が第１端末のデフォルト設定に従って第１端末が第２端末と新たなグループを作成するよう要求していると判断し、第２端末が少なくとも１つの未使用のＭＡＣエンティティを有すると判断したとき、作成予定の新たなグループのＷｉ−Ｆｉ  Ｄｉｒｅｃｔコンフィギュレーション情報は第２端末によって第１端末に送信され、作成予定の新たなグループのＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報に矛盾せず、作成予定の新たなグループのＷｉ−Ｆｉ  Ｄｉｒｅｃｔコンフィギュレーション情報は更に第２端末のグループ情報を有する。
【００５６】
本実現方式の更なる他の特定の実現方式では、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が既存のグループのメンバーでなく、第２端末が既存のグループのメンバーであるとき、第１端末が、ＮＦＣ接続を介し第２端末により送信される作成予定の新たなグループのＷｉ−Ｆｉ  Ｄｉｒｅｃｔコンフィギュレーション情報を受信し、第１端末が、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、第２端末が第２端末が属する既存のグループをやめ、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定した後、第２端末が属する既存のグループをやめるか第２端末が第２端末を利用するユーザに促すときに第２端末を利用するユーザが第２端末が属する既存のグループをやめることを選択した場合、第２端末が第１端末のデフォルト設定に従って第１端末が第２端末と新たなグループを作成することを要求していると判断し、第２端末が第２端末における全てのＭＡＣエンティティが利用されていると判断するとき、作成予定の新たなグループのＷｉ−Ｆｉ  Ｄｉｒｅｃｔコンフィギュレーション情報が、第２端末によって第１端末に送信され、第２端末のグループオーナ意図の値は、作成予定の新たなグループのＷｉ−Ｆｉ  Ｄｉｒｅｃｔコンフィギュレーション情報における第１端末のグループオーナ意図の値と異なる。
【００５７】
本実施例の更なる他の実現方式では、第１端末が既存のグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が既存のグループのメンバーであり、第２端末が既存のグループのメンバーでないとき、第２端末が第２端末のデフォルト設定に従って第２端末が第１端末が属する既存のグループに加わることを要求していると判断し、第２端末が第１端末のグループ情報に従って第１端末が第１端末が属する既存のグループのグループオーナであると判断した場合、第２端末が第２端末のＷｉ−Ｆｉ  Ｄｉｒｅｃｔコンフィギュレーション情報におけるグループオーナ意図の値を第１端末のＷｉ−Ｆｉ  Ｄｉｒｅｃｔコンフィギュレーション情報におけるグループオーナ意図の値より小さい値に設定した後、第１端末が、第１端末のＷｉ−Ｆｉ  Ｄｉｒｅｃｔコンフィギュレーション情報に従って第２端末とのＷｉ−Ｆｉ  Ｄｉｒｅｃｔ接続を確立することであってもよく、この場合、第１端末のＷｉ−Ｆｉ  Ｄｉｒｅｃｔコンフィギュレーション情報は第１端末が属する既存のグループのＷｉ−Ｆｉ  Ｄｉｒｅｃｔコンフィギュレーション情報である。
【００５８】
本実施例の更なる他の実現方式では、第１端末が既存のグループのメンバーであり、第２端末が既存のグループのメンバーでなく、第１端末が第１端末が属する既存のグループのクライアントであるとき、第１端末によって送信される第１端末のＷｉ−Ｆｉ  Ｄｉｒｅｃｔコンフィギュレーション情報は、第１端末が属する既存のグループのＷｉ−Ｆｉ  Ｄｉｒｅｃｔコンフィギュレーション情報における暗号化情報を除くコンフィギュレーション情報であり、この場合、第１端末は更に、ＮＦＣ接続を介し第２端末に第１端末が属する既存のグループのグループオーナの記述情報を送信する。具体的には、第１端末が属する既存のグループのグループオーナの記述情報は、第１端末のＷｉ−Ｆｉ  Ｄｉｒｅｃｔコンフィギュレーション情報に含まれてもよいし、あるいは、第１端末が属する既存のグループのグループオーナの記述情報はまた、第１端末のＷｉ−Ｆｉ  Ｄｉｒｅｃｔコンフィギュレーション情報に含まれなくてもよく、第１端末のＷｉ−Ｆｉ  Ｄｉｒｅｃｔコンフィギュレーション情報と共に第２端末に送信される。
【００５９】
本実施例の更なる他の実現方式では、第１端末が既存のグループのメンバーであり、第２端末が既存のグループのメンバーでないとき、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、ＮＦＣ接続を介し第２端末により送信される作成予定の新たなグループのＷｉ−Ｆｉ  Ｄｉｒｅｃｔコンフィギュレーション情報を受信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、第２端末が、第１端末における未使用のＭＡＣエンティティからの１つを選択し、作成予定の新たなグループのＷｉ−Ｆｉ  Ｄｉｒｅｃｔコンフィギュレーション情報を設定し、第２端末が、第２端末のデフォルト設定に従って第２端末が第１端末と新たなグループを作成することを要求していると判断し、第１端末が少なくとも１つの未使用のＭＡＣエンティティを有すると判断した後、作成予定の新たなグループのＷｉ−Ｆｉ  Ｄｉｒｅｃｔコンフィギュレーション情報は、第２端末によって第１端末に送信され、作成予定の新たなグループのＷｉ−Ｆｉ  Ｄｉｒｅｃｔコンフィギュレーション情報は更に、第１端末から第２端末によって選択されたＭＡＣエンティティのアドレスを有し、第１端末が属する既存のグループのＷｉ−Ｆｉ  Ｄｉｒｅｃｔコンフィギュレーション情報と矛盾しない。
【００６０】
本実施例の更なる他の実現方式では、第１端末が既存のグループのメンバーであり、第２端末が既存のグループのメンバーでないとき、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、ＮＦＣ接続を介し第２端末により送信される作成予定のグループのＷｉ−Ｆｉ  Ｄｉｒｅｃｔコンフィギュレーション情報を受信することであってもよく、ここで、第２端末が第２端末のデフォルト設定に従って第２端末が第１端末と新たなグループを作成することを要求していると判断し、第１端末が少なくとも１つの未使用のＭＡＣエンティティを有し、作成予定の新たなグループのＷｉ−Ｆｉ  Ｄｉｒｅｃｔコンフィギュレーション情報が第１端末が属する既存のグループのＷｉ−Ｆｉ  Ｄｉｒｅｃｔコンフィギュレーション情報に矛盾しないと判断した後、第２端末により送信される作成予定の新たなグループのＷｉ−Ｆｉ  Ｄｉｒｅｃｔコンフィギュレーション情報は、第２端末によって設定され、第１端末に送信され、その後、第１端末が、第１端末における未使用のＭＡＣエンティティからの１つを選択し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００６１】
本実施例の更なる他の実現方式では、第１端末は既存のグループのメンバーであり、第２端末は既存のグループのメンバーでないとき、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、第２端末が第１端末と新たなグループを作成することを要求しているという第２端末により送信される通知を受信することであってもよく、ここで、第２端末が第２端末のデフォルト設定に従って第２端末が第１端末と新たなグループを作成することを要求していると判断し、第１端末における全てのＭＡＣエンティティが利用されると判断した後、当該通知は第２端末によって第１端末に送信され、その後、第１端末が、第１端末が属する既存のグループをやめるか第１端末を利用するユーザを促し、第１端末を利用するユーザが第１端末が属する既存のグループをやめることを選択した後、第１端末が属する既存のグループをやめ、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよい。
【００６２】
本実施例の更なる他の実現方式では、第１端末と第２端末との双方が既存のグループのメンバーであるとき、第１端末が作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することは、第１端末が、ＮＦＣ接続を介し第２端末により送信される作成予定の新たなグループのＷｉ−Ｆｉ  Ｄｉｒｅｃｔコンフィギュレーション情報を受信し、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立することであってもよく、ここで、第２端末が作成予定の新たなグループにおける第２端末により利用されるＭＡＣエンティティとして第２端末における未使用のＭＡＣエンティティからの１つを選択し、第１端末における未使用のＭＡＣエンティティからの１つを選択し、作成予定の新たなグループのＷｉ−Ｆｉ  Ｄｉｒｅｃｔコンフィギュレーション情報を設定した後、第２端末が第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第１端末と第２端末とが同じグループに属さず、第１端末と第２端末との双方が少なくとも１つの未使用のＭＡＣエンティティを有すると判断し、第２端末が第１端末のグループ情報と第２端末のグループ情報とに従って第１端末と第２端末との少なくとも１つがグループオーナであると判断すると、作成予定の新たなグループのＷｉ−Ｆｉ  Ｄｉｒｅｃｔコンフィギュレーション情報は、第２端末によって第１端末に送信され、作成予定の新たなグループのＷｉ−Ｆｉ  Ｄｉｒｅｃｔコンフィギュレーション情報は更に、第１端末から第２端末によって選択されたＭＡＣエンティティのアドレスを有する。
【００６３】
本実施例では、第１端末と第２端末との一方のみがグループオーナである場合、既存のグループにおいてグループオーナである端末は、新たなグループにおけるクライアントでなければならず、当該端末のグループオーナ意図は、新たなグループのＷｉ−Ｆｉ  Ｄｉｒｅｃｔコンフィギュレーション情報におけるピアエンドのグループオーナ意図より小さくなるよう設定される必要があり、第１端末と第２端末との双方が既存のグループにおけるグループオーナである場合、新たなグループのコンフィギュレーション情報における２つの端末のグループオーナ意図は、これら２つの端末のグループオーナ意図の値が異なって設定される限り、ランダムに設定されてもよい。
【００６４】
上記実施例では、第１端末と第２端末とは、ＮＦＣ接続を利用することによってＷｉ−Ｆｉ  Ｄｉｒｅｃｔコンフィギュレーション情報を交換し、デバイス検出手順とＧＯネゴシエーション手順とが暗黙的に交換処理に含まれ、これにより、無線シグナリングを利用することによって実行され、Ｗｉ−Ｆｉ  Ｄｉｒｅｃｔプロトコルにおいて定義されるデバイス検出、ＧＯネゴシエーション及びＷＰＳ認証情報交換などのハンドシェイク手順を利用しなくてよく、Ｗｉ−Ｆｉ  Ｄｉｒｅｃｔ接続確立手順を簡単化することができる。さらに、Ｗｉ−Ｆｉ  Ｄｉｒｅｃｔプロトコルは、Ｗｉ−Ｆｉ  Ｄｉｒｅｃｔグループのクライアントが他のグループのクライアント又はＧＯをアクティブに検出することができないことを指定する。このシナリオでは、Ｗｉ−Ｆｉ  Ｄｉｒｅｃｔ接続は無線シグナリングを利用することによって確立することはできず、本実施例により提供される技術的手段が利用されるとき、当該制約は存在しない。第１端末と第２端末とがＮＦＣ通信範囲内にある限り、第１端末と第２端末とはコンフィギュレーション情報を交換することができ、双方が第１端末と第２端末との間のＷｉ−Ｆｉ  Ｄｉｒｅｃｔ接続を確立することができる。
【００６５】
本発明による通信接続を確立する方法において、Ｗｉ−Ｆｉ  Ｄｉｒｅｃｔ接続はＮＦＣハンドオーバを利用することによって確立される。本発明により提供される方法を利用してＷｉ−Ｆｉ  Ｄｉｒｅｃｔ接続を確立する２つの端末は何れも、ＮＦＣ及びＷｉ−Ｆｉ  Ｄｉｒｅｃｔ機能をサポートする必要がある。図２に示されるように、端末Ａ及び端末Ｂは別々に各自のＷｉ−Ｆｉ  Ｄｉｒｅｃｔコンフィギュレーション情報を読み出し、その後、ＮＦＣインタフェースを介しタッチ方式により接続が確立されるピアエンドとＷｉ−Ｆｉ  Ｄｉｒｅｃｔコンフィギュレーション情報を交換し、本発明により提供される方法に従ってＷｉ−Ｆｉ  Ｄｉｒｅｃｔ接続を確立する。図２は、本発明によるアプリケーションシナリオの一実施例の概略図である。
【００６６】
図２において、端末Ａと端末Ｂとの間で交換されるＷｉ−Ｆｉ  Ｄｉｒｅｃｔコンフィギュレーション情報は、以下のコンテンツを有する。
（１）Ｗｉ−Ｆｉ  Ｐ２ＰグループのＩＤ（Ｗｉ−Ｆｉ  Ｐ２Ｐ、すなわち、Ｗｉ−Ｆｉ  Ｄｉｒｅｃｔ）
（２）Ｗｉ−Ｆｉ  Ｐ２ＰグループのＢＳＳＩＤ
（３）チャネルリスト（Ｃｈａｎｎｅｌ  ｌｉｓｔ）
（４）既存のグループの動作チャネル（Ｏｐｅｒａｔｉｎｇ  Ｃｈａｎｎｅｌ、２つの端末の何れもが既存のグループに加入していない場合、コンテンツは合意されているヌル値により充填される）
（５）認証情報（ＷＰＳ認証情報又は他の認証情報であってもよい認証）
（６）暗号化情報（ＷＰＳ暗号化情報又は他の暗号化情報であってもよい暗号化）
（７）ＭＡＣエンティティの個数及び各ＭＡＣエンティティのアドレス（端末が有するＭＡＣエンティティの個数と各ＭＡＣエンティティのアドレス）
（８）グループオーナ意図（ＧＯ  Ｉｎｔｅｎｔ）
（９）グループ情報、その値は、端末が既存のグループにないことであるか、端末が既存のグループのグループオーナであること、又は、端末が既存のグループのクライアントであることであってもよい
（１０）ＩＰベースアドレス（端末が２つのグループのメンバーとして動作するとき、２つのグループの間のＩＰアドレスの競合を回避するため）
（１１）Ｗｉ−Ｆｉ  Ｄｉｒｅｃｔプロトコルにより定義され、無線信号フレームを利用することによって交換されてもよい他のコンテンツ
（１２）端末が無線信号フレームを利用することによって既存のグループに加わることを要求しているか示すデフォルト設定オプション
【００６７】
図３は、本発明による通信接続を確立する方法の他の実施例のフローチャートである。図３に示されるように、通信接続を確立する方法は以下を含むものであってもよい。
【００６８】
ステップ３０１：端末Ａは、スクリーンをアンロックし、ＮＦＣ機能を有効にし、またＮＦＣ機能を有効にし、スクリーンをアンロックした端末Ｂにタッチし、その後、ＮＦＣ接続が端末Ａと端末Ｂとの間で確立される。
【００６９】
ステップ３０２：端末Ｂは、端末ＡによってＮＦＣ接続を介し送信される端末ＡのＷｉ−Ｆｉ  Ｄｉｒｅｃｔコンフィギュレーション情報を受信する。
【００７０】
特定の実現形態中、端末Ａ及び端末Ｂは、要求元（Ｒｅｑｕｅｓｔｅｒ）及び選択者（Ｓｅｌｅｃｔｏｒ）の識別子を決定するため、ＮＦＣ接続ハンドオーバプロトコルに定義される“ハンドオーバリクエスト衝突解決機構”を利用してもよい。しかしながら、本実施例は、端末ＡがＲｅｑｕｅｓｔｅｒであり、端末ＢがＳｅｌｅｃｔｏｒであることを一例として利用することによって説明される。
【００７１】
本実施例では、端末ＢのＷｉ−Ｆｉ  Ｄｉｒｅｃｔコンフィギュレーション情報は、端末Ｂのグループ情報を有し、端末ＡのＷｉ−Ｆｉ  Ｄｉｒｅｃｔコンフィギュレーション情報は、端末Ａのグループ情報を有する。
【００７２】
本実施例では、端末ＢのＷｉ−Ｆｉ  Ｄｉｒｅｃｔコンフィギュレーション情報は更に、端末Ｂのグループオーナ意図、端末ＢにおけるＭＡＣエンティティの個数及び各ＭＡＣエンティティのアドレスを有し、ここで、端末Ｂのグループ情報の値は、端末Ｂが既存のグループのメンバーでないこと、端末Ｂが端末Ｂが属する既存のグループのグループオーナであること、又は端末Ｂが端末Ｂが属する既存のグループのクライアントであることであってもよく、
端末ＡのＷｉ−Ｆｉ  Ｄｉｒｅｃｔコンフィギュレーション情報は更に、端末Ａのグループオーナ意図、端末ＡにおけるＭＡＣエンティティの個数及び各ＭＡＣエンティティのアドレスを有し、ここで、端末Ａのグループ情報の値は、端末Ａが既存のグループのメンバーでないこと、端末Ａが端末Ａが属する既存のグループのグループオーナであること、又は端末Ａが端末Ａが属する既存のグループのクライアントであることであってもよい。
【００７３】
ステップ３０３：端末Ｂが、端末Ｂのグループ情報と端末Ａのグループ情報とに従って、端末Ｂと端末Ａとの何れもが既存のグループのメンバーでないと判断した場合、端末Ｂは、端末ＢのＷｉ−Ｆｉ  Ｄｉｒｅｃｔコンフィギュレーション情報と端末ＡのＷｉ−Ｆｉ  Ｄｉｒｅｃｔコンフィギュレーション情報とに従って端末ＡとのＷｉ−Ｆｉ  Ｄｉｒｅｃｔ接続を確立する。
【００７４】
具体的には、端末Ｂは、端末ＢのＷｉ−Ｆｉ  Ｄｉｒｅｃｔコンフィギュレーション情報と端末ＡのＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定してもよく、ここで、作成予定の新たなグループのＷｉ−Ｆｉ  Ｄｉｒｅｃｔコンフィギュレーション情報は、作成予定の新たなグループの識別子、作成予定の新たなグループのＢＳＳＩＤ、作成予定の新たなグループの動作チャネル、端末Ｂのグループオーナ意図、作成予定の新たなグループのＩＰベースアドレス及び作成予定の新たなグループにおける端末Ｂにより利用されるＭＡＣエンティティのアドレスを有し、その後、端末Ｂは、ＮＦＣ接続を介し端末Ｂに作成予定の新たなグループのＷｉ−Ｆｉ  Ｄｉｒｅｃｔコンフィギュレーション情報を送信し、最後に、端末Ｂは、作成予定の新たなグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【００７５】
作成予定の新たなグループの識別子を設定するときなど、作成予定の新たなグループのＷｉ−Ｆｉ  Ｄｉｒｅｃｔコンフィギュレーション情報を設定する際、端末Ｂは、端末ＢのＷｉ−Ｆｉ  Ｄｉｒｅｃｔコンフィギュレーション情報におけるグループ識別子を利用してもよいか、端末ＡのＷｉ−Ｆｉ  Ｄｉｒｅｃｔコンフィギュレーション情報におけるグループ識別子を利用してもよいか、又は端末ＢのＷｉ−Ｆｉ  Ｄｉｒｅｃｔコンフィギュレーション情報におけるグループ識別子を利用せず、また端末ＡのＷｉ−Ｆｉ  Ｄｉｒｅｃｔコンフィギュレーション情報におけるグループ識別子も利用せず、作成予定の新たなグループに対して新たな識別子を設定してもよい。同様に、作成予定の新たなグループのＢＳＳＩＤ、作成予定の新たなグループの動作チャネル、作成予定の新たなグループのＩＰベースアドレス及び作成予定の新たなグループにおいて利用されるＭＡＣエンティティのアドレスがまた、上述したようにして設定されてもよく、すなわち、端末Ｂ又は端末ＡのＷｉ−Ｆｉ  Ｄｉｒｅｃｔコンフィギュレーション情報に含まれる対応する情報が利用されるか、又は新たな値が設定される。詳細はここでは繰り返されない。
【００７６】
本実施例のステップ３０２において、端末ＡがＮＦＣ接続を介し端末Ｂに端末ＡのＷｉ−Ｆｉ  Ｄｉｒｅｃｔコンフィギュレーション情報を送信することは、端末Ａが端末ＢにＮＦＣ接続ハンドオーバリクエストメッセージを送信することであってもよく、ここで、ＮＦＣ接続ハンドオーバリクエストメッセージは、端末ＡのＷｉ−Ｆｉ  Ｄｉｒｅｃｔコンフィギュレーション情報を含む。
【００７７】
具体的には、ＮＦＣ接続ハンドオーバリクエストメッセージのカプセル化フォーマットは、図４に示されるようなものであってもよい。ステップ３０３において、ＮＦＣ接続ハンドオーバレスポンスのカプセル化フォーマットは、図５に示されるようなものであってもよい。図４は、本発明による接続ハンドオーバリクエストのフォーマットの一実施例の概略図であり、図５は、本発明による接続ハンドオーバレスポンスのフォーマットの一実施例の概略図である。
【００７８】
上記のメッセージカプセル化フォーマットでは、Ｗｉ−Ｆｉ  Ｄｉｒｅｃｔコンフィギュレーション情報の一部は接続コンフィギュレーションデータに配置され、その一部は補助記述データに配置される。実際、Ｗｉ−Ｆｉ  Ｄｉｒｅｃｔコンフィギュレーション情報の全ては、接続コンフィギュレーションデータに配置されてもよいし、又は、補助記述データに配置されてもよく、本実施例によって限定されるものでない。
【００７９】
上記実施例では、暗号化情報の交換に加えて、端末Ｂと端末Ａとは、グループ情報、ＭＡＣエンティティの個数及び各ＭＡＣエンティティのアドレスなどのＷｉ−Ｆｉ  Ｄｉｒｅｃｔ接続を確立するのに要求されるパラメータ系列を交換する必要があるが、当該パラメータは、従来技術では無線シグナリングを利用することによって複数回の交換後に始めて完全に交換することができる。しかしながら、本実施例では、パラメータは、Ｗｉ−Ｆｉ  Ｄｉｒｅｃｔコンフィギュレーション情報に含まれ、１回でＮＦＣ接続を介し完全に交換され、これにより、Ｗｉ−Ｆｉ  Ｄｉｒｅｃｔ接続を確立する処理が簡単化される。
【００８０】
図６Ａ、６Ｂ、６Ｃ及び６Ｄは、本発明による通信接続を確立する方法の更なる他の実施例のフローチャートである。図６Ａ、６Ｂ、６Ｃ及び６Ｄに示されるように、通信接続を確立する方法は以下を含むものであってもよい。
【００８１】
ステップ６０１：端末Ａは、スクリーンをアンロックし、ＮＦＣ機能を有効にし、またＮＦＣ機能を有効にし、スクリーンをアンロックした端末Ｂにタッチし、その後、ＮＦＣ接続が端末Ａと端末Ｂとの間で確立される。
【００８２】
ステップ６０２：端末Ｂは、端末ＡによってＮＦＣ接続を介し送信される端末ＡのＷｉ−Ｆｉ  Ｄｉｒｅｃｔコンフィギュレーション情報を受信する。
【００８３】
特定の実現形態中、端末Ａ及び端末Ｂは、Ｒｅｑｕｅｓｔｅｒ及びＳｅｌｅｃｔｏｒの識別子を決定するため、ＮＦＣ接続ハンドオーバプロトコルに定義される“ハンドオーバリクエスト衝突解決機構”を利用してもよい。しかしながら、本実施例は、端末ＡがＲｅｑｕｅｓｔｅｒであり、端末ＢがＳｅｌｅｃｔｏｒであることを一例として利用することによって説明される。
【００８４】
本実施例では、端末ＢのＷｉ−Ｆｉ  Ｄｉｒｅｃｔコンフィギュレーション情報は、端末Ｂのグループ情報を有し、端末ＡのＷｉ−Ｆｉ  Ｄｉｒｅｃｔコンフィギュレーション情報は、端末Ａのグループ情報を有する。
【００８５】
本実施例では、端末ＢのＷｉ−Ｆｉ  Ｄｉｒｅｃｔコンフィギュレーション情報は更に、端末Ｂのグループオーナ意図、端末ＢにおけるＭＡＣエンティティの個数及び各ＭＡＣエンティティのアドレスを有し、ここで、端末Ｂのグループ情報の値は、端末Ｂが既存のグループのメンバーでないこと、端末Ｂが端末Ｂが属する既存のグループのグループオーナであること、又は端末Ｂが端末Ｂが属する既存のグループのクライアントであることであってもよく、
端末ＡのＷｉ−Ｆｉ  Ｄｉｒｅｃｔコンフィギュレーション情報は更に、端末Ａのグループオーナ意図、端末ＡにおけるＭＡＣエンティティの個数及び各ＭＡＣエンティティのアドレスを有し、ここで、端末Ａのグループ情報の値は、端末Ａが既存のグループのメンバーでないこと、端末Ａが端末Ａが属する既存のグループのグループオーナであること、又は端末Ａが端末Ａが属する既存のグループのクライアントであることであってもよい。
【００８６】
ステップ６０３：端末Ｂが、端末Ａ及び端末Ｂのグループ情報とに従って、端末Ｂと端末Ａとの１つが既存のグループのメンバーであると判断する。端末Ｂが既存のグループのメンバーであり、端末Ａが既存のグループのメンバーでない場合、ステップ６０４が実行され、端末Ｂが既存のグループのメンバーでなく、端末Ａが既存のグループのメンバーである場合、ステップ６２０が実行される。
【００８７】
ステップ６０４：端末Ｂは、ＮＦＣ接続を介し端末Ａにより送信される端末Ａのデフォルト設定を受信する。
【００８８】
具体的には、端末Ａのデフォルト設定は端末ＡのＷｉ−Ｆｉ  Ｄｉｒｅｃｔコンフィギュレーション情報に含まれてもよいし、又は、デフォルト設定はまた端末ＡのＷｉ−Ｆｉ  Ｄｉｒｅｃｔコンフィギュレーション情報に含まれなくてもよいが、端末ＡのＷｉ−Ｆｉ  Ｄｉｒｅｃｔコンフィギュレーション情報と共に端末Ｂに送信される。
【００８９】
端末Ａのデフォルト設定は、端末Ａが端末Ｂが属する既存のグループに加わることを要求しているか、又は、端末Ａが端末Ｂと新たなグループを作成することを要求していることを反映する。
【００９０】
ステップ６０５：端末Ｂは、端末Ａのデフォルト設定に従って、端末Ａが端末Ｂが属する既存のグループに加わることを要求しているか判断し、端末Ａが端末Ｂが属する既存のグループに加わることを要求している場合、ステップ６０６が実行され、あるいは、端末Ａが端末Ｂが属する既存のグループに加わることを要求していない場合、すなわち、端末Ｂが端末Ａのデフォルト設定に従って、端末Ａが端末Ｂと新たなグループを作成することを要求している場合、ステップ６１３が実行される。
【００９１】
ステップ６０６：端末Ｂは、端末Ｂのグループ情報に従って、端末Ｂが端末Ｂが属する既存のグループのグループオーナであるか判断する。端末Ｂが端末Ｂが属する既存のグループのグループオーナである場合、ステップ６０７が実行され、端末Ｂが端末Ｂが属する既存のグループのグループオーナでなく、既存のグループのクライアントである場合、ステップ６１０が実行される。
【００９２】
ステップ６０７：端末Ｂは、端末Ｂが属する既存のグループのＷｉ−Ｆｉ  Ｄｉｒｅｃｔコンフィギュレーション情報をＮＦＣ接続ハンドオーバレスポンスにカプセル化し、当該レスポンスを端末Ａに送信する。
【００９３】
ステップ６０８：端末Ａは、既存のグループのＷｉ−Ｆｉ  Ｄｉｒｅｃｔコンフィギュレーション情報に従って、端末ＡのＷｉ−Ｆｉ  Ｄｉｒｅｃｔコンフィギュレーション情報におけるグループオーナ意図の値を端末ＢのＷｉ−Ｆｉ  Ｄｉｒｅｃｔコンフィギュレーション情報におけるグループオーナ意図の値より小さい値に設定する。このようにして、端末Ａは、端末Ｂが属する既存のグループに加わるためクライアントとして利用可能である。
【００９４】
ステップ６０９：端末Ｂは、既存のグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【００９５】
ステップ６１０：端末Ｂは、既存のグループのＷｉ−Ｆｉ  Ｄｉｒｅｃｔコンフィギュレーション情報における暗号化情報と既存のグループのグループオーナの記述情報とを除くコンフィギュレーション情報をＮＦＣ接続ハンドオーバレスポンスにカプセル化し、当該レスポンスを端末Ａに送信する。
【００９６】
ステップ６１１：端末Ａは、グループオーナの記述情報に従って既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報における暗号化情報を受信する。
【００９７】
具体的には、端末Ａは、無線接続（Ｗｉ−Ｆｉなど）方式により暗号化情報をグループオーナに要求してもよいか、又は追加的なタッチにより暗号化情報を取得してもよい（すなわち、グループオーナとのＮＦＣ接続を確立することによって）。このようにして、端末Ａはまた、既存のグループの全てのＷｉ−Ｆｉ  Ｄｉｒｅｃｔコンフィギュレーション情報を取得し、その後、ステップ６１２が実行される。
【００９８】
ステップ６１２：端末Ｂは、既存のグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【００９９】
ステップ６１３：端末Ｂは、端末Ｂが少なくとも１つの未使用のＭＡＣエンティティを有するか判断する。端末Ｂが少なくとも１つの未使用のＭＡＣエンティティを有する場合、ステップ６１４が実行される。端末Ｂが少なくとも１つの未使用のＭＡＣエンティティを有さない場合、すなわち、端末Ｂが端末Ｂにおける全てのＭＡＣエンティティが利用されていると判断した場合、ステップ６１６が実行される。
【０１００】
ステップ６１４：端末Ｂは、作成予定の新たなグループにおいて端末Ｂにより利用されるＭＡＣエンティティとして端末Ｂにおける未使用のＭＡＣエンティティからの１つを選択し、作成予定の新たなグループのＷｉ−Ｆｉ  Ｄｉｒｅｃｔコンフィギュレーション情報を設定する。
【０１０１】
作成予定の新たなグループのＷｉ−Ｆｉ  Ｄｉｒｅｃｔコンフィギュレーション情報は、端末Ｂが属する既存のグループのＷｉ−Ｆｉ  Ｄｉｒｅｃｔコンフィギュレーション情報と矛盾しない。具体的には、作成予定の新たなグループのＷｉ−Ｆｉ  Ｄｉｒｅｃｔコンフィギュレーション情報を設定する際、端末Ｂは、端末ＡのＷｉ−Ｆｉ  Ｄｉｒｅｃｔコンフィギュレーション情報の一部又は全てを利用してもよく、例えば、作成予定の新たなグループの識別子として端末ＡのＷｉ−Ｆｉ  Ｄｉｒｅｃｔコンフィギュレーション情報におけるグループＩＤを利用してもよく、及び／又は作成予定の新たなグループのＢＳＳＩＤとして端末ＡのＷｉ−Ｆｉ  Ｄｉｒｅｃｔコンフィギュレーション情報におけるグループＢＳＳＩＤを利用してもよく、又は、端末ＡのＷｉ−Ｆｉ  Ｄｉｒｅｃｔコンフィギュレーション情報を利用せず、作成予定の新たなグループに対して新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が端末Ｂが属する既存のグループのＷｉ−Ｆｉ  Ｄｉｒｅｃｔコンフィギュレーション情報と矛盾しない限り、端末Ｂが作成予定の新たなグループのＷｉ−Ｆｉ  Ｄｉｒｅｃｔコンフィギュレーション情報を設定する方法を限定しない。
【０１０２】
さらに、作成予定の新たなグループのＷｉ−Ｆｉ  Ｄｉｒｅｃｔコンフィギュレーション情報は更に、端末Ａのグループ情報を含む。
【０１０３】
ステップ６１５：端末Ｂは、作成予定の新たなグループのＷｉ−Ｆｉ  Ｄｉｒｅｃｔコンフィギュレーション情報をＮＦＣ接続ハンドオーバレスポンスにカプセル化し、当該レスポンスを端末Ａに送信し、作成予定の新たなグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【０１０４】
ステップ６１６：端末Ｂは、端末Ｂが属する既存のグループをやめるか端末Ｂを利用するユーザを促し、端末Ｂを利用するユーザが端末Ｂが属する既存のグループをやめることを選択した場合、ステップ６１７が実行され、又は、端末Ｂを利用するユーザが端末Ｂが属する既存のグループをやめないことを選択した場合、ステップ６１９が実行される。
【０１０５】
ステップ６１７：端末Ｂは、端末Ｂが属する既存のグループをやめ、端末ＢのＷｉ−Ｆｉ  Ｄｉｒｅｃｔコンフィギュレーション情報と端末ＡのＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定する。
【０１０６】
作成予定の新たなグループのＷｉ−Ｆｉ  Ｄｉｒｅｃｔコンフィギュレーション情報は、作成予定の新たなグループの識別子、作成予定の新たなグループのＢＳＳＩＤ、作成予定の新たなグループの動作チャネル、端末Ｂのグループオーナ意図、作成予定の新たなグループのＩＰベースアドレス、及び作成予定の新たなグループにおける端末Ｂにより利用されるＭＡＣエンティティのアドレスを有する。
【０１０７】
端末Ｂのグループオーナ意図の値は、作成予定の新たなグループのＷｉ−Ｆｉ  Ｄｉｒｅｃｔコンフィギュレーション情報における端末Ａのグループオーナ意図の値と異なる。
【０１０８】
ステップ６１８：端末Ｂは、作成予定の新たなグループのＷｉ−Ｆｉ  Ｄｉｒｅｃｔコンフィギュレーション情報をＮＦＣ接続ハンドオーバレスポンスにカプセル化し、当該レスポンスを端末Ａに送信し、作成予定の新たなグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【０１０９】
ステップ６１９：端末Ｂは、端末Ａに対する接続確立失敗レスポンスを返す。
【０１１０】
ステップ６２０：端末Ｂは、端末Ｂのデフォルト設定に従って、端末Ｂが端末Ａが属する既存のグループに加わることを要求しているか判断する。端末Ｂが端末Ａが属する既存のグループに加わることを要求している場合、ステップ６２１が実行され、端末Ｂが、端末Ｂのデフォルト設定に従って、端末Ｂが端末Ａが属する既存のグループに加わることを要求しておらず、端末Ａと新たなグループを作成することを要求していると判断した場合、ステップ６２６が実行される。
【０１１１】
ステップ６２１：端末Ｂは、端末Ａのグループ情報に従って、端末Ａが端末Ａが属する既存のグループのグループオーナであるか判断する。端末Ａが端末Ａが属する既存のグループのグループオーナである場合、ステップ６２２が実行され、端末Ａが端末Ａが属する既存のグループのグループオーナでなく、既存のグループのクライアントである場合、ステップ６２３が実行される。
【０１１２】
ステップ６２２：端末Ｂは、端末ＢのＷｉ−Ｆｉ  Ｄｉｒｅｃｔコンフィギュレーション情報におけるグループオーナ意図の値を端末ＡのＷｉ−Ｆｉ  Ｄｉｒｅｃｔコンフィギュレーション情報におけるグループオーナ意図の値より小さい値に設定し、端末ＡのＷｉ−Ｆｉ  Ｄｉｒｅｃｔコンフィギュレーション情報に従って、端末ＡとのＷｉ−Ｆｉ  Ｄｉｒｅｃｔ接続を確立する。
【０１１３】
このステップでは、端末Ｂは、端末ＢのＷｉ−Ｆｉ  Ｄｉｒｅｃｔコンフィギュレーション情報におけるグループオーナ意図の値を端末ＡのＷｉ−Ｆｉ  Ｄｉｒｅｃｔコンフィギュレーション情報におけるグループオーナ意図の値より小さい値に設定する。このようにして、端末Ｂは、既存のグループに加わるため、端末Ａが属する既存のグループのクライアントとして利用可能である。
【０１１４】
端末ＡのＷｉ−Ｆｉ  Ｄｉｒｅｃｔコンフィギュレーション情報は、端末Ａが属する既存のグループのＷｉ−Ｆｉ  Ｄｉｒｅｃｔコンフィギュレーション情報である。
【０１１５】
ステップ６２３：端末Ｂは、ＮＦＣ接続を介し端末Ａにより送信される端末Ａが属する既存のグループのグループオーナの記述情報を受信する。
【０１１６】
具体的には、端末Ａが属する既存のグループのグループオーナの記述情報は、端末ＡのＷｉ−Ｆｉ  Ｄｉｒｅｃｔコンフィギュレーション情報に含まれてもよいし、又は、端末Ａが属する既存のグループのグループオーナの記述情報はまた、端末ＡのＷｉ−Ｆｉ  Ｄｉｒｅｃｔコンフィギュレーション情報に含まれなくてもよく、端末ＡのＷｉ−Ｆｉ  Ｄｉｒｅｃｔコンフィギュレーション情報と共に端末Ｂに送信される。
【０１１７】
この場合、端末ＡのＷｉ−Ｆｉ  Ｄｉｒｅｃｔコンフィギュレーション情報は、端末Ａが属する既存のグループのＷｉ−Ｆｉ  Ｄｉｒｅｃｔコンフィギュレーション情報における暗号化情報を除くコンフィギュレーション情報である。
【０１１８】
本実施例では、端末Ａが属する既存のグループのグループオーナの記述情報は、端末ＡのＷｉ−Ｆｉ  Ｄｉｒｅｃｔコンフィギュレーション情報と共に送信されてもよく、又は別々に送信されてもよく、本実施例により限定されるものでない。すなわち、端末Ａが端末Ａが属する既存のグループのクライアントであるとき、端末Ａは、ステップ６０２において、ＮＦＣ接続を介し端末Ｂに端末Ａが属する既存のグループのグループオーナの記述情報と共に、端末ＡのＷｉ−Ｆｉ  Ｄｉｒｅｃｔコンフィギュレーション情報を送信してもよく、例えば、これら２つの情報をＮＦＣ接続ハンドオーバリクエストにカプセル化し、当該リクエストを端末Ｂに送信してもよく、あるいは、端末Ａはまた、まず端末ＡのＷｉ−Ｆｉ  Ｄｉｒｅｃｔコンフィギュレーション情報をＮＦＣ接続ハンドオーバリクエストに加え、ステップ６０２において当該リクエストを端末Ｂに送信し、その後、端末Ａが属する既存のグループのグループオーナの記述情報をＮＦＣ接続ハンドオーバリクエスト又は他のメッセージに含め、ステップ６２３においてＮＦＣ接続を介し端末Ｂに当該メッセージを送信する。
【０１１９】
ステップ６２４：端末Ｂは、端末Ａが属する既存のグループのグループオーナの記述情報に従って、端末Ａが属する既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報における暗号化情報を受信する。
【０１２０】
具体的には、端末Ｂは、無線接続方式により暗号化情報をグループオーナに要求するか、又は追加的なタッチによって暗号化情報を取得してもよい（すなわち、グループオーナとのＮＦＣ接続を確立することによって）。このようにして、端末Ｂはまた、既存のグループの全てのＷｉ−Ｆｉ  Ｄｉｒｅｃｔコンフィギュレーション情報を取得し、その後、ステップ６２５が実行される。
【０１２１】
ステップ６２５：端末Ｂは、既存のグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【０１２２】
ステップ６２６：端末Ｂは、端末Ａが少なくとも１つの未使用のＭＡＣエンティティを有するか判断する。端末Ａが少なくとも未使用のＭＡＣエンティティを有する場合、ステップ６２７が実行される。端末Ａが少なくとも１つの未使用のＭＡＣエンティティを有さない場合、すなわち、端末Ｂが端末Ａにおける全てのＭＡＣエンティティが使用されていると判断した場合、ステップ６２９が実行される。
【０１２３】
ステップ６２７：端末Ｂは、端末Ａにおける未使用のＭＡＣエンティティからの１つを選択し、作成予定の新たなグループのＷｉ−Ｆｉ  Ｄｉｒｅｃｔコンフィギュレーション情報を設定する。
【０１２４】
作成予定の新たなグループのＷｉ−Ｆｉ  Ｄｉｒｅｃｔコンフィギュレーション情報は更に、端末Ａから端末Ｂによって選択されたＭＡＣエンティティのアドレスを有し、作成予定の新たなグループのＷｉ−Ｆｉ  Ｄｉｒｅｃｔコンフィギュレーション情報は、端末Ａが属する既存のグループのＷｉ−Ｆｉ  Ｄｉｒｅｃｔコンフィギュレーション情報と矛盾しない。具体的には、作成予定の新たなグループのＷｉ−Ｆｉ  Ｄｉｒｅｃｔコンフィギュレーション情報を設定する際、端末Ｂは、端末ＢのＷｉ−Ｆｉ  Ｄｉｒｅｃｔコンフィギュレーション情報の一部又は全てを利用してもよく、例えば、作成予定の新たなグループの識別子として端末ＢのＷｉ−Ｆｉ  Ｄｉｒｅｃｔコンフィギュレーション情報におけるグループＩＤを利用し、及び／又は作成予定の新たなグループのＢＳＳＩＤとして端末ＢのＷｉ−Ｆｉ  Ｄｉｒｅｃｔコンフィギュレーション情報におけるグループＢＳＳＩＤを利用してもよく、あるいは、端末ＢのＷｉ−Ｆｉ  Ｄｉｒｅｃｔコンフィギュレーション情報を利用しなくてもよく、作成予定の新たなグループについて新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が端末Ａが属する既存のグループのＷｉ−Ｆｉ  Ｄｉｒｅｃｔコンフィギュレーション情報に矛盾しない限り、端末Ｂが作成予定の新たなグループのＷｉ−Ｆｉ  Ｄｉｒｅｃｔコンフィギュレーション情報を設定する方法を限定するものでない。
【０１２５】
ステップ６２８：端末Ｂは、作成予定の新たなグループのＷｉ−Ｆｉ  Ｄｉｒｅｃｔコンフィギュレーション情報をＮＦＣ接続ハンドオーバレスポンスにカプセル化し、当該レスポンスを端末Ａに送信し、作成予定の新たなグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【０１２６】
本実施例の他の実現方式では、ステップ６２７及び６２８はまた以下のようであってもよい。すなわち、端末Ｂは、作成予定の新たなグループのＷｉ−Ｆｉ  Ｄｉｒｅｃｔコンフィギュレーション情報を設定し、ここで、作成予定の新たなグループのＷｉ−Ｆｉ  Ｄｉｒｅｃｔコンフィギュレーション情報は端末Ａが属する既存のグループのＷｉ−Ｆｉ  Ｄｉｒｅｃｔコンフィギュレーション情報と矛盾せず、その後、端末Ｂは、ＮＦＣ接続を介し端末Ａに作成予定の新たなグループのＷｉ−Ｆｉ  Ｄｉｒｅｃｔコンフィギュレーション情報を送信する。その後、端末Ａは、端末Ａにおける未使用のＭＡＣエンティティからの１つを選択し、作成予定の新たなグループのＷｉ−Ｆｉ  Ｄｉｒｅｃｔコンフィギュレーション情報に従って、端末ＢとのＷｉ−Ｆｉ  Ｄｉｒｅｃｔ接続を確立する。作成予定の新たなグループのＷｉ−Ｆｉ  Ｄｉｒｅｃｔコンフィギュレーション情報を設定する際、端末Ｂは、端末ＢのＷｉ−Ｆｉ  Ｄｉｒｅｃｔコンフィギュレーション情報の一部又は全てを利用してもよく、例えば、作成予定の新たなグループの識別子として端末ＢのＷｉ−Ｆｉ  Ｄｉｒｅｃｔコンフィギュレーション情報におけるグループＩＤを利用してもよく、及び／又は作成予定の新たなグループのＢＳＳＩＤとして端末ＢのＷｉ−Ｆｉ  Ｄｉｒｅｃｔコンフィギュレーション情報におけるグループＢＳＳＩＤを利用してもよく、あるいは、端末ＢのＷｉ−Ｆｉ  Ｄｉｒｅｃｔコンフィギュレーション情報を利用せず、作成予定の新たなグループについて新たなＷｉ−Ｆｉ  Ｄｉｒｅｃｔコンフィギュレーション情報を設定してもよい。本発明は、作成予定の新たなグループのＷｉ−Ｆｉ  Ｄｉｒｅｃｔコンフィギュレーション情報が端末Ａが属する既存のグループのＷｉ−Ｆｉ  Ｄｉｒｅｃｔコンフィギュレーション情報に矛盾しない限り、端末Ｂが作成予定の新たなグループのＷｉ−Ｆｉ  Ｄｉｒｅｃｔコンフィギュレーション情報を設定する方法を限定しない。
【０１２７】
ステップ６２９：端末Ｂは、端末Ｂが端末Ａと新たなグループを作成することを要求しているという通知を端末Ａに送信する。
【０１２８】
ステップ６３０：端末Ａは、端末Ａが属する既存のグループをやめるか端末Ａを利用するユーザに促す。端末Ａを利用するユーザが端末Ａが属する既存のグループをやめることを選択した場合、ステップ６３１が実行され、端末Ａを利用するユーザが端末Ａが属する既存のグループをやめないことを選択した場合、ステップ６３２が実行される。
【０１２９】
ステップ６３１：端末Ａは、端末Ａが属する既存のグループをやめ、端末ＢのＷｉ−Ｆｉ  Ｄｉｒｅｃｔコンフィギュレーション情報と端末ＡのＷｉ−Ｆｉ  Ｄｉｒｅｃｔコンフィギュレーション情報とに従って、作成予定の新たなグループのＷｉ−Ｆｉ  Ｄｉｒｅｃｔコンフィギュレーション情報を設定し、作成予定の新たなグループのＷｉ−Ｆｉ  Ｄｉｒｅｃｔコンフィギュレーション情報に従って端末ＢとのＷｉ−Ｆｉ  Ｄｉｒｅｃｔ接続を確立する。
【０１３０】
端末Ａが端末Ａが属する既存のグループをやめた後、端末Ａと端末Ｂとの何れも既存のグループのメンバーでないため、端末Ａと端末Ｂとは、本発明の図３に示される実施例により提供される方法に従ってＷｉ−Ｆｉ  Ｄｉｒｅｃｔ接続を確立してもよい。詳細はここでは繰り返されない。
【０１３１】
ステップ６３２：Ｗｉ−Ｆｉ  Ｄｉｒｅｃｔ接続は、端末Ｂと端末Ａとの間で確立することができない。
【０１３２】
本実施例では、端末Ａと端末Ｂとの一方のみが既存のグループのメンバーである。既存のグループのメンバーがメンバーが属する既存のグループのグループオーナである場合、当該メンバーは、作成予定の新たなグループにおいてグループオーナ又はクライアントとして利用されてもよく、既存のグループのメンバーがメンバーが属する既存のグループのクライアントである場合、当該端末は、作成予定の新たなグループにおいてグループオーナとしてのみ利用可能である。
【０１３３】
本実施例では、端末Ａが既存のグループのメンバーであり、端末Ａが端末Ａが属する既存のグループのＧＯであり、端末Ｂが端末Ａが属する既存のグループに加わることを要求している場合、端末Ａによって端末Ｂに送信されるＮＦＣ接続ハンドオーバリクエストのフォーマットは、図７に示されるようなものであってもよい。図７は、本発明による接続ハンドオーバリクエストのフォーマットの他の実施例の概略図である。
【０１３４】
端末Ｂが既存のグループのメンバーであり、端末Ｂが端末Ｂが属する既存のグループのＧＯであり、端末Ａが端末Ｂが属する既存のグループに加わることを要求している場合、端末Ｂによって端末Ａに送信される接続ハンドオーバレスポンスのフォーマットは、図８に示されるようなものであってもよい。図８は、本発明による接続ハンドオーバレスポンスのフォーマットの他の実施例の概略図である。
【０１３５】
既存のグループのメンバーが既存のグループのクライアントであるとき、図７に示される接続ハンドオーバリクエスト又は図８に示される接続ハンドオーバレスポンスは、認証情報又は暗号化情報を有さず、既存のグループのメンバーが既存のグループをやめるとき、又は２つの端末が新たなグループを作成するとき、接続ハンドオーバリクエストと接続ハンドオーバレスポンスとのフォーマットについて図４及び５が参照されてもよいことに留意すべきである。詳細はここでは繰り返されない。
【０１３６】
上記実施例では、端末Ａと端末Ｂとは、ＮＦＣ接続を利用することによってＷｉ−Ｆｉ  Ｄｉｒｅｃｔコンフィギュレーション情報を交換し、デバイス検出手順及びＧＯネゴシエーション手順は、暗黙的に交換処理に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続確立手順を簡単化することができる。さらに、Ｗｉ−Ｆｉ  Ｄｉｒｅｃｔプロトコルは、クライアントが他のグループのＧＯ又はクライアントをアクティブに検出できないことを指定する。このシナリオでは、Ｗｉ−Ｆｉ  Ｄｉｒｅｃｔ接続は、無線シグナリングを利用することによって確立できず、本実施例により提供される技術的手段が利用されるとき、この制約は存在しない。端末Ａと端末ＢとがＮＦＣ通信範囲内にある限り、端末Ａと端末Ｂとはコンフィギュレーション情報を交換することが可能であり、双方は端末Ａと端末Ｂとの間でＷｉ−Ｆｉ  Ｄｉｒｅｃｔ接続を確立することができる。
【０１３７】
図９Ａ及び９Ｂは、本発明による通信接続を確立する方法の更なる他の実施例のフローチャートである。図９Ａ及び９Ｂに示されるように、通信接続を確立する方法は以下を含むものであってもよい。
【０１３８】
ステップ９０１：端末Ａは、スクリーンをアンロックし、ＮＦＣ機能を有効にし、またＮＦＣ機能を有効にし、スクリーンをアンロックした端末Ｂにタッチし、その後、ＮＦＣ接続が端末Ａと端末Ｂとの間で確立される。
【０１３９】
ステップ９０２：端末Ｂは、端末ＡによってＮＦＣ接続を介し送信される端末ＡのＷｉ−Ｆｉ  Ｄｉｒｅｃｔコンフィギュレーション情報を受信する。
【０１４０】
特定の実現形態中、端末Ａ及び端末Ｂは、Ｒｅｑｕｅｓｔｅｒ及びＳｅｌｅｃｔｏｒの識別子を決定するため、ＮＦＣ接続ハンドオーバプロトコルに定義される“ハンドオーバリクエスト衝突解決機構”を利用してもよい。しかしながら、本実施例は、端末ＡがＲｅｑｕｅｓｔｅｒであり、端末ＢがＳｅｌｅｃｔｏｒであることを一例として利用することによって説明される。
【０１４１】
本実施例では、端末ＢのＷｉ−Ｆｉ  Ｄｉｒｅｃｔコンフィギュレーション情報は、端末Ｂのグループ情報を有する。
【０１４２】
本実施例では、端末ＢのＷｉ−Ｆｉ  Ｄｉｒｅｃｔコンフィギュレーション情報は更に、端末Ｂのグループオーナ意図、端末ＢにおけるＭＡＣエンティティの個数及び各ＭＡＣエンティティのアドレスを有し、ここで、端末Ｂのグループ情報の値は、端末Ｂが既存のグループのメンバーでないこと、端末Ｂが端末Ｂが属する既存のグループのグループオーナであること、又は端末Ｂが端末Ｂが属する既存のグループのクライアントであることであってもよく、
端末ＡのＷｉ−Ｆｉ  Ｄｉｒｅｃｔコンフィギュレーション情報は、端末Ａのグループ情報を有し、端末ＡのＷｉ−Ｆｉ  Ｄｉｒｅｃｔコンフィギュレーション情報は更に、端末Ａのグループオーナ意図、端末ＡにおけるＭＡＣエンティティの個数及び各ＭＡＣエンティティのアドレスを有し、ここで、端末Ａのグループ情報の値は、端末Ａが既存のグループのメンバーでないこと、端末Ａが端末Ａが属する既存のグループのグループオーナであること、又は端末Ａが端末Ａが属する既存のグループのクライアントであることであってもよい。
【０１４３】
ステップ９０３：端末Ｂが、端末Ｂのグループ情報と端末Ａのグループ情報とに従って、端末Ｂと端末Ａとの双方が既存のグループのメンバーであると判断する。
【０１４４】
ステップ９０４：端末Ｂは、端末ＢのＷｉ−Ｆｉ  Ｄｉｒｅｃｔコンフィギュレーション情報と端末ＡのＷｉ−Ｆｉ  Ｄｉｒｅｃｔコンフィギュレーション情報とに従って、端末Ｂと端末Ａとが同じグループに属しているか判断する。端末Ｂと端末Ａとが同じグループに属する場合、ステップ９０５が実行され、端末Ｂと端末Ａとが同じグループに属さない場合、ステップ９０６が実行される。
【０１４５】
具体的には、端末Ｂは、端末Ｂと端末Ａとが同じグループに属しているか判断するため、端末Ｂと端末ＡとのＷｉ−Ｆｉ  Ｄｉｒｅｃｔコンフィギュレーション情報におけるグループＩＤ、グループＢＳＳＩＤ、ＧＯのＭＡＣアドレス、ＩＰベースアドレスなどが同じであるかチェックし、Ｗｉ−Ｆｉ  Ｄｉｒｅｃｔコンフィギュレーション情報におけるグループＩＤ、グループＢＳＳＩＤ、ＧＯのＭＡＣアドレス、ＩＰベースアドレスなどの全てが同じである場合、端末Ｂと端末Ａとが同じグループに属すると判断でき、そうでない場合、端末Ｂと端末Ａとが同じグループに属していないと判断することができる。
【０１４６】
ステップ９０５：端末Ｂは、端末Ｂが端末Ａと直接通信可能であることを示すメッセージを端末Ａに送信する。
【０１４７】
具体的には、端末Ｂと端末Ａとの双方がクライアントである場合、ＧＯを利用することによって通信が実行されてもよいし、あるいは、通信を実行するためＧＯを利用することによって直接的なデータ接続が確立され、端末Ｂと端末Ａとの１つがＧＯであり、他方がクライアントである場合、通信は直接実行されてもよい。
【０１４８】
ステップ９０６：端末Ｂは、端末Ｂのグループ情報と端末Ａのグループ情報とに従って、端末Ｂと端末Ａとの少なくとも１つがグループオーナであるか判断する。端末Ｂと端末Ａとの少なくとも１つがグループオーナである場合、ステップ９０７が実行され、端末Ｂと端末Ａとの何れもグループオーナでない場合、すなわち、端末Ｂと端末Ａとの双方が既存のグループのクライアントである場合、ステップ９１０が実行される。
【０１４９】
ステップ９０７：端末Ｂは、端末Ａと端末Ｂとの双方が少なくとも１つの未使用のＭＡＣエンティティを有するか判断し、端末Ａと端末Ｂとが少なくとも１つの未使用のＭＡＣエンティティを有する場合、ステップ９０８が実行され、端末Ａ及び／又は端末Ｂにおける全てのＭＡＣエンティティが利用されている場合、ステップ９１０が実行される。
【０１５０】
ステップ９０８：端末Ｂは、作成予定の新たなグループにおいて端末Ｂにより利用されるＭＡＣエンティティとして端末Ｂにおける未使用のＭＡＣエンティティからの１つを選択し、端末Ａにおける未使用のＭＡＣエンティティからの１つを選択し、作成予定の新たなグループのＷｉ−Ｆｉ  Ｄｉｒｅｃｔコンフィギュレーション情報を設定する。
【０１５１】
作成予定の新たなグループのＷｉ−Ｆｉ  Ｄｉｒｅｃｔコンフィギュレーション情報は更に、端末Ａから端末Ｂにより選択されたＭＡＣエンティティのアドレスを有してもよい。
【０１５２】
本実施例では、端末Ｂと端末Ａとの１つのみが既存のグループにおけるグループオーナである場合、既存のグループにおけるグループオーナである端末は、新たなグループにおけるクライアントでなければならず、端末のグループオーナ意図は、新たなグループのＷｉ−Ｆｉ  Ｄｉｒｅｃｔコンフィギュレーション情報におけるピアエンドのグループオーナ意図より小さくなるよう設定される必要があり、端末Ｂと端末Ａとの双方が既存のグループにおけるグループオーナである場合、新たなグループのコンフィギュレーション情報における２つの端末のグループオーナ意図は、これら２つの端末のグループオーナ意図の値が異なって設定される限り、ランダムに設定されてもよい。
【０１５３】
ステップ９０９：端末Ｂは、作成予定の新たなグループのＷｉ−Ｆｉ  Ｄｉｒｅｃｔコンフィギュレーション情報をＮＦＣ接続ハンドオーバレスポンスにカプセル化し、当該レスポンスを端末Ａに送信し、作成予定の新たなグループのＷｉ−Ｆｉ  Ｄｉｒｅｃｔコンフィギュレーション情報に従って端末ＡとのＷｉ−Ｆｉ  Ｄｉｒｅｃｔ接続を確立する。
【０１５４】
ステップ９１０：端末Ｂは、端末Ｂが属する既存のグループをやめるか端末Ｂを利用するユーザに促し、端末Ａが属する既存のグループをやめるか端末Ａを利用するユーザに促すよう端末Ａに指示する。
【０１５５】
ステップ９１１：端末Ｂを利用するユーザが端末Ｂが属する既存のグループをやめることを選択した後、及び／又は端末Ａを利用するユーザが端末Ａが属する既存のグループをやめることを選択した後、端末Ｂは、端末が属する既存のグループをやめない端末のＷｉ−Ｆｉ  Ｄｉｒｅｃｔコンフィギュレーション情報又は作成予定の新たなグループのＷｉ−Ｆｉ  Ｄｉｒｅｃｔコンフィギュレーション情報に従って、端末ＡとのＷｉ−Ｆｉ  Ｄｉｒｅｃｔ接続を確立する。
【０１５６】
本実施例では、端末Ｂ又は端末Ａが当初の接続を確保するだけでなく、新たな接続を確立する場合、端末は２つのグループの双方においてクライアントとして利用することができない。具体的には、端末が当初の接続においてクライアントとして利用される場合、端末は、新たな接続においてグループオーナとして利用される必要があり、端末が当初の接続においてグループオーナとして利用される場合、端末は、新たなグループおいてグループオーナ又はクライアントとして利用することができる。
【０１５７】
具体的には、端末Ｂを利用するユーザが端末Ｂが属する既存のグループをやめることを選択した場合、又は、端末Ａを利用するユーザが端末Ａが属する既存のグループをやめることを選択した場合、端末Ａと端末Ｂとは、本発明の図６Ａ、６Ｂ、６Ｃ及び６Ｄに示される実施例により提供される方法を利用することによって、Ｗｉ−Ｆｉ  Ｄｉｒｅｃｔ接続を確立して通信してもよい。すなわち、端末Ｂを利用するユーザが端末Ｂが属する既存のグループをやめることを選択し、端末Ａを利用するユーザがまた端末Ａが属する既存のグループをやめることを選択した場合、端末Ａと端末Ｂとは、本発明の図３に示される実施例により提供される方法を利用することによって、Ｗｉ−Ｆｉ  Ｄｉｒｅｃｔ接続を確立して通信してもよい。詳細はここでは繰り返されない。
【０１５８】
本実施例では、端末Ａが新たなグループを形成するため、端末Ｂとグループ間接続を確立するとき、使用される接続ハンドオーバリクエストと使用される接続ハンドオーバレスポンスとのフォーマットがそれぞれ、図１０及び１１に示されるようなものであってもよい。図１０は、本発明による接続ハンドオーバリクエストのフォーマットの更なる他の実施例の概略図であり、図１１は、本発明による接続ハンドオーバレスポンスのフォーマットの更なる他の実施例の概略図である。
【０１５９】
上記実施例では、端末Ａと端末Ｂとは、ＮＦＣ接続を利用することによって、Ｗｉ−Ｆｉ  Ｄｉｒｅｃｔコンフィギュレーション情報を交換し、デバイス検出手順とＧＯネゴシエーション手順とは暗黙的に交換処理に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続確立手順を簡単化することができる。さらに、Ｗｉ−Ｆｉ  Ｄｉｒｅｃｔプロトコルは、クライアントが他のグループのＧＯ又はクライアントをアクティブに検出することができないことを指定する。このシナリオでは、Ｗｉ−Ｆｉ  Ｄｉｒｅｃｔ接続は、無線シグナリングを利用することによって確立することはできず、本実施例により提供される技術的手段が利用されるとき、当該制約は存在しない。端末Ａと端末ＢとがＮＦＣ通信範囲内にある限り、端末Ａと端末Ｂとはコンフィギュレーション情報を交換可能であり、双方は端末Ａと端末Ｂとの間のＷｉ−Ｆｉ  Ｄｉｒｅｃｔ接続を確立できる。
【０１６０】
当業者は、方法の実施例におけるステップの全て又は一部は関連するハードウェアに指示するプログラムによって実現されてもよいことを理解してもよい。当該プログラムは、コンピュータ可読記憶媒体に格納されてもよい。記憶媒体は、ＲＯＭ、ＲＡＭ、磁気ディスク又は光ディスクなどのプログラムコードを格納可能な何れかの媒体であってもよい。
【０１６１】
図１２は、本発明による端末の一実施例の概略的な構成図である。本実施例における端末１２は第１端末であり、本発明の図１に示される実施例の手順を実現できる。図１２に示されるように、端末１２は、受信モジュール１２１、判定モジュール１２２及び確立モジュール１２３を有してもよく、
受信モジュール１２１は、第１端末と第２端末との間のＮＦＣ接続を介し第２端末により送信される第２端末のＷｉ−Ｆｉ  Ｄｉｒｅｃｔコンフィギュレーション情報を受信するよう構成され、ここで、第２端末のＷｉ−Ｆｉ  Ｄｉｒｅｃｔコンフィギュレーション情報は第２端末のグループ情報を有し、
判定モジュール１２２は、受信モジュール１２１により受信された第１端末のグループ情報と第２端末のグループ情報とに従って、第１端末と第２端末との何れも既存のグループのメンバーでないと判断するか、又は受信モジュール１２１により受信された第１端末のグループ情報と第２端末のグループ情報とに従って、第１端末と第２端末との少なくとも１つが既存のグループのメンバーであると判断するよう構成され、
確立モジュール１２３は、判定モジュール１２２が第１端末と第２端末との何れも既存のグループのメンバーでないと判断すると、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は判定モジュール１２２が第１端末と第２端末との少なくとも１つが既存のグループのメンバーであると判断すると、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１６２】
本実施例では、受信モジュール１２１により受信される第２端末のＷｉ−Ｆｉ  Ｄｉｒｅｃｔコンフィギュレーション情報は更に、第２端末のグループオーナ意図、第２端末におけるＭＡＣエンティティの個数及び各ＭＡＣエンティティのアドレスを有してもよく、
第２端末のグループ情報は、第２端末が既存のグループのメンバーでないこと、第２端末が第２端末が属する既存のグループのグループオーナであること、又は第２端末が第２端末が属する既存のグループのクライアントであることを有し、
第１端末のＷｉ−Ｆｉ  Ｄｉｒｅｃｔコンフィギュレーション情報は、第１端末のグループ情報を有し、
第１端末のグループ情報は、第１端末が既存のグループのメンバーでないこと、第１端末が第１端末が属する既存のグループのグループオーナであること、又は第１端末が第１端末が属する既存のグループのクライアントであることを有し、
さらに、第１端末のＷｉ−Ｆｉ  Ｄｉｒｅｃｔコンフィギュレーション情報は更に、第１端末のグループオーナ意図、第１端末におけるＭＡＣエンティティの個数及び各ＭＡＣエンティティのアドレスを有してもよく、
作成予定の新たなグループのＷｉ−Ｆｉ  Ｄｉｒｅｃｔコンフィギュレーション情報は、作成予定の新たなグループの識別子、作成予定の新たなグループのＢＳＳＩＤ、作成予定の新たなグループの動作チャネル、第１端末のグループオーナ意図、作成予定の新たなグループのＩＰベースアドレス及び作成予定の新たなグループにおける第１端末により利用されるＭＡＣエンティティのアドレスを有する。
【０１６３】
本実施例では、第１端末と第２端末とは、ＮＦＣ接続を利用することによって、Ｗｉ−Ｆｉ  Ｄｉｒｅｃｔコンフィギュレーション情報を交換し、デバイス検出手順とＧＯネゴシエーション手順とは暗黙的に交換処理に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続確立手順を簡単化することができる。さらに、Ｗｉ−Ｆｉ  Ｄｉｒｅｃｔプロトコルは、Ｗｉ−Ｆｉ  Ｄｉｒｅｃｔグループのクライアントが他のグループのＧＯ又はクライアントをアクティブに検出することができないことを指定する。このシナリオでは、Ｗｉ−Ｆｉ  Ｄｉｒｅｃｔ接続は、無線シグナリングを利用することによって確立することはできず、本実施例では当該制約は存在しない。第１端末と第２端末とがＮＦＣ通信範囲内にある限り、第１端末と第２端末とはコンフィギュレーション情報を交換可能であり、双方は第１端末と第２端末との間のＷｉ−Ｆｉ  Ｄｉｒｅｃｔ接続を確立できる。
【０１６４】
図１３は、本発明による端末の他の実施例の概略的な構成図である。図１２に示される端末１２と比較して、図１３に示される端末１２の相違点は、本実施例の実現方式では、判定モジュール１２２が第１端末と第２端末との何れも既存のグループのメンバーでないと判断すると、確立モジュール１２３が、第１確立サブモジュール１２３１、第１設定サブモジュール１２３２及び第１送信サブモジュール１２３３を有してもよく、
第１設定サブモジュール１２３２は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、作成予定の新たなグループのＷｉ−Ｆｉ  Ｄｉｒｅｃｔコンフィギュレーション情報を設定するよう構成され、第１設定房モジュール１２３２が作成予定の新たなグループのＷｉ−Ｆｉ  Ｄｉｒｅｃｔコンフィギュレーション情報を設定するとき、例えば、第１設定サブモジュール１２３２がｍ作成予定の新たなグループの識別子を設定するとき、第１設定サブモジュール１２３２は、第１端末のＷｉ−Ｆｉ  Ｄｉｒｅｃｔコンフィギュレーション情報におけるグループ識別子を利用してもよいし、あるいは、第１端末のＷｉ−Ｆｉ  Ｄｉｒｅｃｔコンフィギュレーション情報におけるグループ識別子と、第２端末のＷｉ−Ｆｉ  Ｄｉｒｅｃｔコンフィギュレーション情報におけるグループ識別子との何れも利用せず、作成予定の新たなグループについて新たな識別子を設定してもよい。同様に、作成予定の新たなグループのＢＳＳＩＤ、作成予定の新たなグループの動作チャネル、作成予定の新たなグループのＩＰベースアドレス、作成予定の新たなグループにおいて利用されるＭＡＣエンティティのアドレスがまた、上述したようにして設定されてもよく、すなわち、第１端末又は第２端末のＷｉ−Ｆｉ  Ｄｉｒｅｃｔコンフィギュレーション情報に含まれる対応する情報が利用されてもよいし、あるいは、新たな値が設定される。詳細はここでは繰り返されない。
第１送信サブモジュール１２３３は、ＮＦＣ接続を介し第２端末に第１設定サブモジュール１２３２により設定された作成予定の新たなグループのＷｉ−Ｆｉ  Ｄｉｒｅｃｔコンフィギュレーション情報を送信するよう構成され、
第１確立サブモジュール１２３１は、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１６５】
本実施例の他の実現方式では、判定モジュール１２２が第１端末のグループ情報と第２端末のグループ情報とに従って第１端末と第２端末との少なくとも１つが既存のグループのメンバーであると判断するよう構成されることは、判定モジュール１２２が、具体的には、第１端末のグループ情報と第２端末のグループ情報とに従って、第１端末が既存のグループのメンバーであり、第２端末が既存のグループのメンバーでないと判断するよう構成されることであってもよい。
【０１６６】
さらに、受信モジュール１２１は更に、ＮＦＣ接続を介し第２端末によって送信される第２端末のデフォルト設定を受信するよう構成される。具体的には、第２端末のデフォルト設定は、第２端末のＷｉ−Ｆｉ  Ｄｉｒｅｃｔコンフィギュレーション情報に含まれてもよいし、あるいは、デフォルト設定はまた、第２端末のＷｉ−Ｆｉ  Ｄｉｒｅｃｔコンフィギュレーション情報に含まれなくてもよく、第２端末のＷｉ−Ｆｉ  Ｄｉｒｅｃｔコンフィギュレーション情報と共に第１端末に送信され、ここで、デフォルト設定は、第２端末が第１端末が属する既存のグループに加わることを要求しているか、又は第２端末が第１端末と新たなグループを作成することを要求していることを反映する。
【０１６７】
本実現方式の特定の実現方式では、確立モジュール１２３は、第１判定サブモジュール１２３４、第２送信サブモジュール１２３５及び第２確立サブモジュール１２３６を有してもよく、
第１判定サブモジュール１２３４は、受信モジュール１２１により受信される第２端末のデフォルト設定に従って、第２端末が第１端末が属する既存のグループに加わることを要求していると判断するよう構成され、
第２端末が、既存のグループのＷｉ−Ｆｉ  Ｄｉｒｅｃｔコンフィギュレーション情報に従って、第２端末のＷｉ−Ｆｉ  Ｄｉｒｅｃｔコンフィギュレーション情報におけるグループオーナ意図の値を第１端末のＷｉ−Ｆｉ  Ｄｉｒｅｃｔコンフィギュレーション情報におけるグループオーナ意図の値より小さい値に設定するように、第１判定サブモジュール１２３４が第１端末が属する既存のグループに第２端末が加わることを要求していると判断した後、判定モジュール１２２が、第１端末のグループ情報に従って第１端末が第１端末が属する既存のグループのグループオーナであると判断すると、ＮＦＣ接続を介し第２端末に第１端末が属する既存のグループのＷｉ−Ｆｉ  Ｄｉｒｅｃｔコンフィギュレーション情報を送信するよう構成され、このようにして、第２端末が、第１端末が属する既存のグループに加わるため、クライアントとして利用可能であり、
第２確立サブモジュール１２３６は、既存のグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１６８】
本実現方式の他の特定の実現方式では、確立モジュール１２３は、第２判定サブモジュール１２３７、第３送信サブモジュール１２３８及び第３確立サブモジュール１２３９を有してもよく、
第２判定サブモジュール１２３７は、受信モジュール１２１により受信される第２端末のデフォルト設定に従って第２端末が第１端末が属する既存のグループに加わることを要求していると判断するよう構成され、
第２端末が、グループオーナの記述情報に従って既存のグループのＷｉ−Ｆｉ  Ｄｉｒｅｃｔコンフィギュレーション情報における暗号化情報をグループオーナに要求し、グループオーナにより送信された既存のグループのＷｉ−Ｆｉ  Ｄｉｒｅｃｔコンフィギュレーション情報における暗号化情報を受信するように、第２判定サブモジュール１２３７が、第２端末が第１端末が属する既存のグループに加わることを要求していると判断した後、判定モジュール１２２が、第１端末のグループ情報に従って、第１端末が第１端末が属する既存のグループのクライアントであると判断すると、第３送信サブモジュール１２３８は、ＮＦＣ接続を介し第２端末に既存のグループのＷｉ−Ｆｉ  Ｄｉｒｅｃｔコンフィギュレーション情報における暗号化情報と既存のグループのグループオーナの記述情報とを除くコンフィギュレーション情報を送信するよう構成され、
第３確立サブモジュール１２３９は、既存のグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１６９】
本実現方式の更なる他の特定の実現方式では、確立モジュール１２３は、第３判定サブモジュール１２３１０、第４確立サブモジュール１２３１１、第２設定サブモジュール１２３１２及び第４送信サブモジュール１２３１３を有してもよく、
第３判定サブモジュール１２３１０は、受信モジュール１２１により受信された第２端末のデフォルト設定に従って、第２端末が第１端末と新たなグループを作成することを要求していると判断するよう構成され、
第３判定サブモジュール１２３１０が、第１端末が少なくとも１つの未使用のＭＡＣエンティティを有すると判断すると、第３判定サブモジュール１２３１０が、第２端末が第１端末と新たなグループを作成することを要求していると判断した後、第２設定サブモジュール１２３１２は、作成予定の新たなグループにおける第１端末により利用されるＭＡＣエンティティとして第１端末における未使用のＭＡＣエンティティからの１つを選択し、作成予定の新たなグループのＷｉ−Ｆｉ  Ｄｉｒｅｃｔコンフィギュレーション情報を設定するよう構成され、ここで、作成予定の新たなグループのＷｉ−Ｆｉ  Ｄｉｒｅｃｔコンフィギュレーション情報が、第１端末が属する既存のグループのＷｉ−Ｆｉ  Ｄｉｒｅｃｔコンフィギュレーション情報に矛盾せず、作成予定の新たなグループのＷｉ−Ｆｉ  Ｄｉｒｅｃｔコンフィギュレーション情報は更に、第１端末のグループ情報を有し、具体的には、作成予定の新たなグループのＷｉ−Ｆｉ  Ｄｉｒｅｃｔコンフィギュレーション情報を設定する際、第２設定サブモジュール１２３１２は、第２端末のＷｉ−Ｆｉ  Ｄｉｒｅｃｔコンフィギュレーション情報の一部又は全てを利用してもよいし、あるいは、第２端末のＷｉ−Ｆｉ  Ｄｉｒｅｃｔコンフィギュレーション情報を利用せず、作成予定の新たなグループについて新たなＷｉ−Ｆｉ  Ｄｉｒｅｃｔコンフィギュレーション情報を設定してもよく、本発明は、作成予定の新たなグループのＷｉ−Ｆｉ  Ｄｉｒｅｃｔコンフィギュレーション情報が、第１端末が属する既存のグループのＷｉ−Ｆｉ  Ｄｉｒｅｃｔコンフィギュレーション情報に矛盾しない限り、第２設定サブモジュール１２３１２が作成予定の新たなグループのＷｉ−Ｆｉ  Ｄｉｒｅｃｔコンフィギュレーション情報を設定する方法を限定するものでなく、
第４送信サブモジュール１２３１３は、ＮＦＣ接続を介し第２端末に第２設定サブモジュール１２３１２により設定される作成予定の新たなグループのＷｉ−Ｆｉ  Ｄｉｒｅｃｔコンフィギュレーション情報を送信するよう構成され、
第４確立サブモジュール１２３１１は、第２設定サブモジュール１２３１２により設定された作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１７０】
本実現方式の更なる他の特定の実現方式では、確立モジュール１２３は、第４判定サブモジュール１２３１４、第１プロンプトサブモジュール１２３１５、第１停止サブモジュール１２３１６、第３設定サブモジュール１２３１７、第５送信サブモジュール１２３１８及び第５確立サブモジュール１２３１９を有してもよく、
第４判定サブモジュール１２３１４は、受信モジュール１２１により受信された第２端末のデフォルト設定に従って、第２端末が第１端末と新たなグループを作成することを要求していると判断するよう構成され、
第４判定サブモジュール１２３１４が第２端末が第１端末と新たなグループを作成することを要求していると判断した後、第４判定サブモジュール１２３１４が、第１端末における全てのＭＡＣエンティティが利用されていると判断すると、第１プロンプトサブモジュール１２３１５は、第１端末が属する既存のグループをやめるか第１端末を利用するユーザに促すよう構成され、
第１端末を利用するユーザが第１端末が属する既存のグループをやめることを選択した後、第１停止サブモジュール１２３１６は、第１端末が属する既存のグループを第１端末にやめさせるよう構成され、
第１停止サブモジュール１２３１６が、第１端末が属する既存のグループを第１端末にやめさせた後、第３設定サブモジュール１２３１７は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、作成予定の新たなグループのＷｉ−Ｆｉ  Ｄｉｒｅｃｔコンフィギュレーション情報を設定するよう構成され、ここで、第１端末のグループオーナ意図の値は作成予定の新たなグループのＷｉ−Ｆｉ  Ｄｉｒｅｃｔコンフィギュレーション情報における第２端末のグループオーナ意図の値と異なり、
第５送信サブモジュール１２３１８は、ＮＦＣ接続を介し第２端末に第３設定サブモジュール１２３１７により設定された作成予定の新たなグループのＷｉ−Ｆｉ  Ｄｉｒｅｃｔコンフィギュレーション情報を送信するよう構成され、
第５確立サブモジュール１２３１９は、第３設定サブモジュール１２３１７により設定される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１７１】
本実施例の更なる他の実現方式では、判定モジュール１２２が、第１端末のグループ情報と第２端末のグループ情報とに従って、第１端末と第２端末との少なくとも１つが既存のグループのメンバーであると判断するよう構成されることは、判定モジュール１２２が、具体的には、第１端末のグループ情報と第２端末のグループ情報とに従って、第２端末が既存のグループのメンバーであり、第１端末が既存のグループのメンバーでないと判断するよう構成されることを有する。
【０１７２】
本実現方式の特定の実現方式では、確立モジュール１２３は、第６判定サブモジュール１２３２０、第４設定サブモジュール１２３２１及び第６確立サブモジュール１２３２２を有してもよく、
第６判定サブモジュール１２３２０は、受信モジュール１２１により受信された第１端末のデフォルト設定に従って、第１端末が第２端末が属する既存のグループに加わることを要求していると判断するよう構成され、
第６判定サブモジュール１２３２０が第１端末が第２端末が属する既存のグループに加わることを要求していると判断した後、判定モジュール１２２が、第２端末のグループ情報に従って第２端末が第２端末が属する既存のグループのグループオーナであると判断すると、第４設定サブモジュール１２３２１は、第１端末のＷｉ−Ｆｉ  Ｄｉｒｅｃｔコンフィギュレーション情報におけるグループオーナ意図の値を第２端末のＷｉ−Ｆｉ  Ｄｉｒｅｃｔコンフィギュレーション情報におけるグループオーナ意図の値より小さい値に設定するよう構成され、
第６確立サブモジュール１２３２２は、第２端末のＷｉ−Ｆｉ  Ｄｉｒｅｃｔコンフィギュレーション情報に従って第２端末とのＷｉ−Ｆｉ  Ｄｉｒｅｃｔ接続を確立するよう構成され、ここで、第２端末のＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報である。
【０１７３】
本実現方式の他の特定の実現方式では、第２端末が第２端末が属する既存のグループのクライアントであるとき、受信モジュール１２１により受信される第２端末のＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報における暗号化情報を除くコンフィギュレーション情報であり、
この特定の実現方式では、受信モジュール１２１は更に、ＮＦＣ接続を介し第２端末により送信される第２端末が属する既存のグループのグループオーナの記述情報を受信するよう構成され、具体的には、第２端末が属する既存のグループのグループオーナの記述情報は、第２端末のＷｉ−Ｆｉ  Ｄｉｒｅｃｔコンフィギュレーション情報に含まれてもよいし、又は、第２端末が属する既存のグループのグループオーナの記述情報はまた、第２端末のＷｉ−Ｆｉ  Ｄｉｒｅｃｔコンフィギュレーション情報に含まれなくてもよく、第２端末のＷｉ−Ｆｉ  Ｄｉｒｅｃｔコンフィギュレーション情報と共に第１端末に送信される。
【０１７４】
この特定の実現方式では、確立モジュール１２３は、第７判定サブモジュール１２３２３、第１要求サブモジュール１２３２４、第１受信サブモジュール１２３２５及び第７確立サブモジュール１２３２６を有してもよく、
第７判定サブモジュール１２３２３は、受信モジュール１２１により受信される第１端末のデフォルト設定に従って、第１端末が第２端末が属する既存のグループに加わることを要求していると判断するよう構成され、
第１要求サブモジュール１２３２４は、受信モジュール１２１により受信される第２端末が属する既存のグループのグループオーナの記述情報に従って、第２端末が属する既存のグループのＷｉ−Ｆｉ  Ｄｉｒｅｃｔコンフィギュレーション情報における暗号化情報をグループオーナに要求するよう構成され、
第１受信サブモジュール１２３２５は、グループオーナにより送信された既存のグループのＷｉ−Ｆｉ  Ｄｉｒｅｃｔコンフィギュレーション情報における暗号化情報を受信するよう構成され、このようにして、第１端末は、既存のグループの全てのＷｉ−Ｆｉ  Ｄｉｒｅｃｔコンフィギュレーション情報を取得し、
第７確立サブモジュール１２３２６は、既存のグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１７５】
本実現方式の更なる他の特定の実現方式では、確立モジュール１２３は、第８判定サブモジュール１２３２７、第８確立サブモジュール１２３２８、第５設定サブモジュール１２３２９及び第６送信サブモジュール１２３３０を有してもよく、
第８判定サブモジュール１２３２７は、受信モジュール１２１により受信された第１端末のデフォルト設定に従って第１端末が第２端末と新たなグループを作成することを要求していると判断するよう構成され、
第８判定サブモジュール１２３２７が、第１端末が第２端末と新たなグループを作成することを要求していると判断した後、第８判定サブモジュール１２３２７が、第２端末が少なくとも１つの未使用のＭＡＣエンティティを有すると判断すると、第５設定サブモジュール１２３２９は、第２端末における未使用のＭＡＣエンティティからの１つを選択し、作成予定の新たなグループのＷｉ−Ｆｉ  Ｄｉｒｅｃｔコンフィギュレーション情報を設定するよう構成され、ここで、作成予定の新たなグループのＷｉ−Ｆｉ  Ｄｉｒｅｃｔコンフィギュレーション情報は更に、第２端末から第１端末によって選択されたＭＡＣエンティティのアドレスを有し、作成予定の新たなグループのＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報に矛盾せず、具体的には、作成予定の新たなグループのＷｉ−Ｆｉ  Ｄｉｒｅｃｔコンフィギュレーション情報を設定する際、第５設定サブモジュール１２３２９は、第１端末のＷｉ−Ｆｉ  Ｄｉｒｅｃｔコンフィギュレーション情報の一部又は全てを利用してもよいし、あるいは、第１端末のＷｉ−Ｆｉ  Ｄｉｒｅｃｔコンフィギュレーション情報を利用せず、作成予定の新たなグループについて新たなＷｉ−Ｆｉ  Ｄｉｒｅｃｔコンフィギュレーション情報を設定し、本発明は、作成予定の新たなグループのＷｉ−Ｆｉ  Ｄｉｒｅｃｔコンフィギュレーション情報が、第２端末が属する既存のグループのＷｉ−Ｆｉ  Ｄｉｒｅｃｔコンフィギュレーション情報に矛盾しない限り、第５設定サブモジュール１２３２９が作成予定の新たなグループのＷｉ−Ｆｉ  Ｄｉｒｅｃｔコンフィギュレーション情報を設定する方法を限定せず、
第６送信サブモジュール１２３３０は、ＮＦＣ接続を介し第２端末に第５設定サブモジュール１２３２９により設定された作成予定の新たなグループのＷｉ−Ｆｉ  Ｄｉｒｅｃｔコンフィギュレーション情報を送信するよう構成され、
第８確立サブモジュール１２３２８は更に、第５設定サブモジュール１２３２９により設定された作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１７６】
本実現方式の更なる他の特定の実現方式では、確立モジュール１２３は、第９判定サブモジュール１２３３１、第６設定サブモジュール１２３３２及び第７送信サブモジュール１２３３３を有してもよく、
第９判定サブモジュール１２３３１は、受信モジュール１２１により受信される第１端末のデフォルト設定に従って、第１端末が第２端末と新たなグループを作成することを要求していると判断するよう構成され、
第９判定サブモジュール１２３３１が、第１端末が第２端末と新たなグループを作成することを要求していると判断した後、第９判定サブモジュール１２３３１が、第２端末が少なくとも１つの未使用のＭＡＣエンティティを有していると判断すると、第６設定サブモジュール１２３３２は、作成予定の新たなグループのＷｉ−Ｆｉ  Ｄｉｒｅｃｔコンフィギュレーション情報を設定するよう構成され、作成予定の新たなグループのＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報に矛盾せず、具体的には、作成予定の新たなグループのＷｉ−Ｆｉ  Ｄｉｒｅｃｔコンフィギュレーション情報を設定する際、第６設定サブモジュール１２３３２は、第１端末のＷｉ−Ｆｉ  Ｄｉｒｅｃｔコンフィギュレーション情報の一部又は全てを利用してもよいか、あるいは、第１端末のＷｉ−Ｆｉ  Ｄｉｒｅｃｔコンフィギュレーション情報を利用せず、作成予定の新たなグループについて新たなＷｉ−Ｆｉ  Ｄｉｒｅｃｔコンフィギュレーション情報を設定し、本発明は、作成予定の新たなグループのＷｉ−Ｆｉ  Ｄｉｒｅｃｔコンフィギュレーション情報が、第２端末が属する既存のグループのＷｉ−Ｆｉ  Ｄｉｒｅｃｔコンフィギュレーション情報に矛盾しない限り、第６設定サブモジュール１２３３２が作成予定の新たなグループのＷｉ−Ｆｉ  Ｄｉｒｅｃｔコンフィギュレーション情報を設定する方法を限定せず、
第２端末が第２端末における未使用のＭＡＣエンティティからの１つを選択し、作成予定の新たなグループのＷｉ−Ｆｉ  Ｄｉｒｅｃｔコンフィギュレーション情報に従って第１端末とのＷｉ−Ｆｉ  Ｄｉｒｅｃｔ接続を確立するように、第７送信サブモジュール１２３３３は、ＮＦＣ接続を介し第２端末に第６設定サブモジュール１２３３２により送信される作成予定の新たなグループのＷｉ−Ｆｉ  Ｄｉｒｅｃｔコンフィギュレーション情報を送信するよう構成される。
【０１７７】
本実現方式の更なる他の特定の実現方式では、確立モジュール１２３は、第１０判定サブモジュール１２３３４及び第８送信サブモジュール１２３３５を有してもよく、
第１０判定サブモジュール１２３３４は、受信モジュール１２１により受信された第１端末のデフォルト設定に従って、第１端末が第２端末と新たなグループを作成することを要求していると判断するよう構成され、
第２端末が、第２端末が属する既存のグループをやめるか第２端末を利用するユーザを促し、第２端末を利用するユーザが、第２端末が属する既存のグループをやめることを選択した後、第２端末が属する既存のグループをやめ、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、作成予定の新たなグループのＷｉ−Ｆｉ  Ｄｉｒｅｃｔコンフィギュレーション情報を設定し、作成予定の新たなグループのＷｉ−Ｆｉ  Ｄｉｒｅｃｔコンフィギュレーション情報に従って第１端末とのＷｉ−Ｆｉ  Ｄｉｒｅｃｔ接続を確立するように、第１０判定サブモジュール１２３３４が、第１端末が第２端末と新たなグループを作成することを要求していると判断した後、第１０判定サブモジュール１２３３４が、第２端末における全てのＭＡＣエンティティが利用されると判断すると、第８送信サブモジュール１２３３５は、第１端末が第２端末と新たなグループを作成することを要求しているという通知を第２端末に送信するよう構成される。
【０１７８】
本実施例の更なる他の実現方式では、判定モジュール１２２が第１端末のグループ情報と第２端末のグループ情報とに従って、第１端末と第２端末との少なくとも１つが既存のグループのメンバーであると判断するよう構成されることは、判定モジュール１２２が、具体的には、第１端末のグループ情報と第２端末のグループ情報とに従って、第１端末と第２端末との双方が既存のグループのメンバーであると判断するよう構成されることを含む。
【０１７９】
本実現方式の特定の実現方式では、確立モジュール１２３は、第９確立サブモジュール１２３３６、第７設定サブモジュール１２３３７及び第９送信サブモジュール１２３３８を有してもよく、
第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、第１端末と第２端末とが同じグループに属さず、第１端末と第２端末との双方が少なくとも１つの未使用のＭＡＣエンティティを有すると判断され、判定モジュール１２２が、第１端末のグループ情報と第２端末のグループ情報とに従って、第１端末と第２端末との少なくとも１つがグループオーナであると判断すると、第７設定サブモジュール１２３３７は、作成予定の新たなグループにおける第１端末により利用されるＭＡＣエンティティとして第１端末における未使用のＭＡＣエンティティからの１つを選択し、作成予定の新たなグループのＷｉ−Ｆｉ  Ｄｉｒｅｃｔコンフィギュレーション情報を設定するよう構成され、ここで、作成予定の新たなグループのＷｉ−Ｆｉ  Ｄｉｒｅｃｔコンフィギュレーション情報は更に、第２端末から第１端末により選択されたＭＡＣエンティティのアドレスを有し、
第９送信サブモジュール１２３３８は、ＮＦＣ接続を介し第２端末に第７設定サブモジュール１２３３７により設定された作成予定の新たなグループのＷｉ−Ｆｉ  Ｄｉｒｅｃｔコンフィギュレーション情報を送信するよう構成され、
第９確立サブモジュール１２３３６は、第７設定サブモジュール１２３３７により設定された作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１８０】
本実施例では、第１端末と第２端末との１つのみが既存のグループにおけるグループオーナである場合、既存のグループにおいてグループオーナである端末は、新たなグループにおけるクライアントでなければならず、当該端末のグループオーナ意図は、新たなグループにおけるＷｉ−Ｆｉ  Ｄｉｒｅｃｔコンフィギュレーション情報のピアエンドのグループオーナ意図より小さく設定される必要があり、第１端末と第２端末との双方が既存のグループにおけるグループオーナである場合、新たなグループのコンフィギュレーション情報における２つの端末のグループオーナ意図は、これら２つの端末のグループオーナ意図の値が異なって設定される限り、ランダムに設定されてもよい。
【０１８１】
本実現方式の他の特定の実現方式では、確立モジュール１２３は、第２プロンプトサブモジュール１２３３９及び第１０確立サブモジュール１２３４０を有してもよく、
第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、第１端末と第２端末とが同じグループに属さないと判断され、判定モジュール１２２が、第１端末のグループ情報と第２端末のグループ情報とに従って、第１端末と第２端末との何れもグループオーナでないと判断したとき、又は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、第１端末と第２端末とが同じグループに属さず、第１端末及び／又は第２端末における全てのＭＡＣエンティティが利用されている判断されると、第２プロンプトサブモジュール１２３３９は、第１端末が属する既存のグループをやめるか第１端末を利用するユーザを促し、第２端末が属する既存のグループをやめるか第２端末を利用するユーザを促すよう第２端末に指示するよう構成され、
第１端末を利用するユーザが第１端末が属する既存のグループをやめることを選択した後、及び／又は第２端末を利用するユーザが第２端末が属する既存のグループをやめることを選択した後、第１０確立サブモジュール１２３４０は、端末が属する既存のグループをやめない端末のＷｉ−Ｆｉ  Ｄｉｒｅｃｔコンフィギュレーション情報又は作成予定の新たなグループのＷｉ−Ｆｉ  Ｄｉｒｅｃｔコンフィギュレーション情報に従って、第２端末とのＷｉ−Ｆｉ  Ｄｉｒｅｃｔ接続を確立するよう構成される。
【０１８２】
第１端末又は第２端末が当初の接続を確保するだけでなく、新たな接続を確立する場合、端末は２つのグループの双方においてクライアントとして利用することができない。具体的には、端末が当初の接続においてクライアントとして利用される場合、端末は、新たな接続においてグループオーナとして利用される必要があり、端末が当初の接続においてグループオーナとして利用される場合、端末は、新たなグループおいてグループオーナ又はクライアントとして利用することができる。
【０１８３】
上記実施例では、第１端末と第２端末とは、ＮＦＣ接続を利用することによってＷｉ−Ｆｉ  Ｄｉｒｅｃｔコンフィギュレーション情報を交換し、デバイス検出手順とＧＯネゴシエーション手順とが交換処理に暗黙的に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続の確立手順を簡単化することができる。さらに、Ｗｉ−Ｆｉ  Ｄｉｒｅｃｔプロトコルは、クライアントが他のグループのＧＯ又はクライアントをアクティブには検出できないことを指定する。このシナリオでは、Ｗｉ−Ｆｉ  Ｄｉｒｅｃｔ接続は、無線シグナリングを利用することによって確立することはできず、当該制約は、本発明により提供される技術的手段が利用されるときには存在しない。第１端末と第２端末とがＮＦＣ通信範囲内にある限り、第１端末と第２端末とはコンフィギュレーション情報を交換可能であり、双方は第１端末と第２端末との間のＷｉ−Ｆｉ  Ｄｉｒｅｃｔ接続を確立できる。
【０１８４】
図１４は、本発明による端末の更なる他の実施例の概略的な構成図である。本実施例における端末１４は、本発明の図１に示される実施例の手順を実現するための第１端末として利用可能である。図１４に示されるように、端末１４は、送信モジュール１４１及び確立モジュール１４２を有してもよく、
送信モジュール１４１は、第１端末と第２端末との間のＮＦＣ接続を介し第２端末に第１端末のＷｉ−Ｆｉ  Ｄｉｒｅｃｔコンフィギュレーション情報を送信するよう構成され、ここで、第１端末のＷｉ−Ｆｉ  Ｄｉｒｅｃｔコンフィギュレーション情報は第１端末のグループ情報を有し、
確立モジュール１４２は、第１端末と第２端末との何れも既存のグループのメンバーでないとき、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は、第１端末と第２端末との少なくとも１つが既存のグループのメンバーであるとき、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１８５】
本実施例では、送信モジュール１４１により送信される第１端末のＷｉ−Ｆｉ  Ｄｉｒｅｃｔコンフィギュレーション情報は更に、第１端末のグループオーナ意図、第１端末におけるＭＡＣエンティティの個数及び各ＭＡＣエンティティのアドレスを有してもよく、
第１端末のグループ情報の値は、第１端末が既存のグループのメンバーでないこと、第１端末が第１端末が属する既存のグループのグループオーナであること、又は第１端末が第１端末が属する既存のグループのクライアントであることであってもよく、
第２端末のＷｉ−Ｆｉ  Ｄｉｒｅｃｔコンフィギュレーション情報は、第２端末のグループ情報、第２端末のグループオーナ意図、第２端末におけるＭＡＣエンティティの個数及び各ＭＡＣエンティティのアドレスを有してもよく、
第２端末のグループ情報の値は、第２端末が既存のグループのメンバーでないこと、第２端末が第２端末が属する既存のグループのグループオーナであること、又は第２端末が第２端末が属する既存のグループのクライアントであることであってもよく、
作成予定の新たなグループのＷｉ−Ｆｉ  Ｄｉｒｅｃｔコンフィギュレーション情報は、作成予定の新たなグループの識別子、作成予定の新たなグループのＢＳＳＩＤ、作成予定の新たなグループの動作チャネル、第２端末のグループオーナ意図、作成予定の新たなグループのＩＰベースアドレス及び作成予定の新たなグループにおける第２端末により利用されるＭＡＣエンティティのアドレスを有する。
【０１８６】
上記実施例では、第１端末と第２端末とは、ＮＦＣ接続を利用することによってＷｉ−Ｆｉ  Ｄｉｒｅｃｔコンフィギュレーション情報を交換し、デバイス検出手順とＧＯネゴシエーション手順とが交換処理に暗黙的に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続の確立手順を簡単化することができる。さらに、Ｗｉ−Ｆｉ  Ｄｉｒｅｃｔプロトコルは、クライアントが他のグループのＧＯ又はクライアントをアクティブには検出できないことを指定する。このシナリオでは、Ｗｉ−Ｆｉ  Ｄｉｒｅｃｔ接続は、無線シグナリングを利用することによって確立することはできず、当該制約は、本発明により提供される技術的手段が利用されるときには存在しない。第１端末と第２端末とがＮＦＣ通信範囲内にある限り、第１端末と第２端末とはコンフィギュレーション情報を交換可能であり、双方は第１端末と第２端末との間のＷｉ−Ｆｉ  Ｄｉｒｅｃｔ接続を確立できる。
【０１８７】
図１５は、本発明による端末の更なる他の実施例の概略的な構成図である。図１４に示される端末１４と比較して、図１５に示される端末１５の相違点は、本実施例の実現方式では、第１端末と第２端末との何れも既存のグループのメンバーでないとき、確立モジュール１４２は、第１受信サブモジュール１４２１及び第１確立サブモジュール１４２２を有してもよく、
第１受信サブモジュール１４２１は、ＮＦＣ接続を介し第２端末により送信される作成予定の新たなグループのＷｉ−Ｆｉ  Ｄｉｒｅｃｔコンフィギュレーション情報を受信するよう構成され、ここで、作成予定の新たなグループのＷｉ−Ｆｉ  Ｄｉｒｅｃｔコンフィギュレーション情報は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って設定され、第２端末によって第１端末に送信され、
第１確立サブモジュール１４２２は、第１受信サブモジュール１４２１により受信される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１８８】
本実施例の他の実現方式では、第１端末と第２端末との少なくとも１つが既存のグループのメンバーであるとき、送信モジュール１４１は更に、ＮＦＣ接続を介し第２端末に第１端末のデフォルト設定を送信するよう構成される。具体的には、第１端末のデフォルト設定は、第１端末のＷｉ−Ｆｉ  Ｄｉｒｅｃｔコンフィギュレーション情報に含まれ、第２端末に送信されてもよいか、あるいは、デフォルト設定はまた、第１端末のＷｉ−Ｆｉ  Ｄｉｒｅｃｔコンフィギュレーション情報に含まれなくてもよく、第１端末のＷｉ−Ｆｉ  Ｄｉｒｅｃｔコンフィギュレーション情報と共に第２端末に送信される。第１端末のデフォルト設定は、第１端末が第２端末が属する既存のグループに加わることを要求していることであるか、又は、第１端末が第２端末と新たなグループを作成することを要求していることであってもよい。
【０１８９】
本実現方式の特定の実現方式では、確立モジュール１４２は、第２受信サブモジュール１４２３、第１設定サブモジュール１４２４及び第２確立サブモジュール１４２５を有してもよく、
第１端末が既存のグループのメンバーでなく、第２端末が既存のグループのメンバーであるとき、第２受信サブモジュール１４２３は、ＮＦＣ接続を介し第２端末により送信される第２端末が属する既存のグループのＷｉ−Ｆｉ  Ｄｉｒｅｃｔコンフィギュレーション情報を受信するよう構成され、第２端末が、第１端末のデフォルト設定に従って、第１端末が第２端末が属する既存のグループに加わることを要求してると判断し、第２端末が、第２端末のグループ情報に従って、第２端末が第２端末が属する既存のグループのグループオーナであると判断した後、既存のグループのＷｉ−Ｆｉ  Ｄｉｒｅｃｔコンフィギュレーション情報が、第２端末によって第１端末に送信され、
第１設定サブモジュール１４２４は、第２受信サブモジュール１４２３により受信された既存のグループのＷｉ−Ｆｉ  Ｄｉｒｅｃｔコンフィギュレーション情報に従って、第１端末のＷｉ−Ｆｉ  Ｄｉｒｅｃｔコンフィギュレーション情報におけるグループオーナ意図の値を第２端末のＷｉ−Ｆｉ  Ｄｉｒｅｃｔコンフィギュレーション情報におけるグループオーナ意図の値より小さい値に設定するよう構成され、
第１設定サブモジュール１４２４が、第１端末のＷｉ−Ｆｉ  Ｄｉｒｅｃｔコンフィギュレーション情報におけるグループオーナ意図の値を設定した後、第２確立サブモジュール１４２５は、第２受信サブモジュール１４２３により受信された既存のグループのＷｉ−Ｆｉ  Ｄｉｒｅｃｔコンフィギュレーション情報に従って、第２端末とのＷｉ−Ｆｉ  Ｄｉｒｅｃｔ接続を確立するよう構成される。
【０１９０】
本実現方式の他の特定の実現方式では、確立モジュール１４２は、第３受信サブモジュール１４２６、第１要求サブモジュール１４２７及び第３確立サブモジュール１４２８を有してもよく、
第１端末が既存のグループのメンバーでなく、第２端末が既存のグループのメンバーであるとき、第３受信サブモジュール１４２６は、ＮＦＣ接続を介し第２端末により送信される第２端末が属する既存のグループのＷｉ−Ｆｉ  Ｄｉｒｅｃｔコンフィギュレーション情報における暗号化情報と既存のグループのグループオーナの記述情報とを除くコンフィギュレーション情報を受信するよう構成され、第２端末が、第１端末のデフォルト設定に従って第１端末が第２端末が属する既存のグループに加わることを要求していると判断し、第２端末が、第２端末のグループ情報に従って第２端末が第２端末が属する既存のグループのクライアントであると判断した後、第２端末が属する既存のグループのＷｉ−Ｆｉ  Ｄｉｒｅｃｔコンフィギュレーション情報における暗号化情報と既存のグループのグループオーナの記述情報とを除くコンフィギュレーション情報は、第２端末によって第１端末に送信され、
第１要求サブモジュール１４２７は、第３受信サブモジュール１４２６により受信されたグループオーナの記述情報に従って既存のグループのＷｉ−Ｆｉ  Ｄｉｒｅｃｔコンフィギュレーション情報における暗号化情報をグループオーナに要求するよう構成され、
第３受信サブモジュール１４２６は更に、第１要求サブモジュール１４２７が既存のグループのＷｉ−Ｆｉ  Ｄｉｒｅｃｔコンフィギュレーション情報における暗号化情報をグループオーナに要求した後、グループオーナにより送信された既存のグループのＷｉ−Ｆｉ  Ｄｉｒｅｃｔコンフィギュレーション情報における暗号化情報を受信するよう構成され、
第３確立サブモジュール１４２８は、既存のグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１９１】
本実現方式の更なる他の特定の実現方式では、確立モジュール１４２は、第４受信サブモジュール１４２９及び第４確立サブモジュール１４２１０を有してもよく、
第１端末が既存のグループのメンバーでなく、第２端末が既存のグループのメンバーであるとき、第４受信サブモジュール１４２９は、ＮＦＣ接続を介し第２端末により送信される作成予定の新たなグループのＷｉ−Ｆｉ  Ｄｉｒｅｃｔコンフィギュレーション情報を受信するよう構成され、
第４確立サブモジュール１４２１０は、第４受信サブモジュール１４２９により受信される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成され、
第２端末が、第１端末のデフォルト設定に従って、第１端末が第２端末と新たなグループを作成することを要求していると判断し、第２端末が、第２端末が少なくとも１つの未使用のＭＡＣエンティティを有していると判断すると、第２端末が作成予定の新たなグループにおいて第２端末により利用されるＭＡＣエンティティとして第２端末における未使用のＭＡＣエンティティからの１つを選択し、作成予定の新たなグループのＷｉ−Ｆｉ  Ｄｉｒｅｃｔコンフィギュレーション情報を設定した後、作成予定の新たなグループのＷｉ−Ｆｉ  Ｄｉｒｅｃｔコンフィギュレーション情報は、第２端末によって第１端末に送信され、ここで、作成予定の新たなグループのＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報に矛盾せず、作成予定の新たなグループのＷｉ−Ｆｉ  Ｄｉｒｅｃｔコンフィギュレーション情報は更に、第２端末のグループ情報を有する。
【０１９２】
本実現方式の更なる他の特定の実現方式では、確立モジュール１４２は、第５受信サブモジュール１４２１１及び第５確立サブモジュール１４２１２を有してもよく、
第１端末が既存のグループのメンバーでなく、第２端末が既存のグループのメンバーであるとき、第５受信サブモジュール１４２１１は、ＮＦＣ接続を介し第２端末により送信される作成予定の新たなグループのＷｉ−Ｆｉ  Ｄｉｒｅｃｔコンフィギュレーション情報を受信するよう構成され、
第５確立サブモジュール１４２１２は、作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成され、
第２端末が、第１端末のデフォルト設定に従って第１端末が第２端末と新たなグループを作成することを要求していると判断し、第２端末が、第２端末における全てのＭＡＣエンティティが利用されていると判断すると、第２端末が第２端末が属する既存のグループをやめるか第２端末を利用するユーザに促したときに、第２端末を利用するユーザが第２端末が属する既存のグループをやめることを選択した場合、第２端末が、第２端末が属する既存のグループをやめ、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って作成予定の新たなグループのＷｉ−Ｆｉ  Ｄｉｒｅｃｔコンフィギュレーション情報を設定した後、作成予定の新たなグループのＷｉ−Ｆｉ  Ｄｉｒｅｃｔコンフィギュレーション情報が、第２端末によって第１端末に送信され、ここで、第２端末のグループオーナ意図の値は、作成予定の新たなグループのＷｉ−Ｆｉ  Ｄｉｒｅｃｔコンフィギュレーション情報における第１端末のグループオーナ意図の値と異なる。
【０１９３】
本実施例の更なる他の実現方式では、確立モジュール１４２は、第６確立サブモジュール１４２１３を有してもよく、
第２端末が、第２端末のデフォルト設定に従って第２端末が第１端末が属する既存のグループに加わることを要求していると判断し、第２端末が、第１端末のグループ情報に従って、第１端末が第１端末が属する既存のグループのグループオーナであると判断した場合、第２端末が、第２端末のＷｉ−Ｆｉ  Ｄｉｒｅｃｔコンフィギュレーション情報におけるグループオーナ意図の値を第１端末のＷｉ−Ｆｉ  Ｄｉｒｅｃｔコンフィギュレーション情報におけるグループオーナ意図の値より小さい値に設定した後、第１端末が既存のグループのメンバーであり、第２端末が既存のグループのメンバーでないとき、第６確立サブモジュール１４２１３は、第１端末のＷｉ−Ｆｉ  Ｄｉｒｅｃｔコンフィギュレーション情報に従って第２端末とのＷｉ−Ｆｉ  Ｄｉｒｅｃｔ接続を確立するよう構成され、この場合、第１端末のＷｉ−Ｆｉ  Ｄｉｒｅｃｔコンフィギュレーション情報は、第１端末が属する既存のグループのＷｉ−Ｆｉ  Ｄｉｒｅｃｔコンフィギュレーション情報である。
【０１９４】
本実施例の更なる他の実現方式では、第１端末が既存のグループのメンバーであり、第２端末が既存のグループのメンバーでなく、第１端末が第１端末が属する既存のグループのクライアントであるとき、送信モジュール１４１により送信される第１端末のＷｉ−Ｆｉ  Ｄｉｒｅｃｔコンフィギュレーション情報は、第１端末が属する既存のグループのＷｉ−Ｆｉ  Ｄｉｒｅｃｔコンフィギュレーション情報における暗号化情報を除くコンフィギュレーション情報であり、
送信モジュール１４１は更に、ＮＦＣ接続を介し第２端末に第１端末が属する既存のグループのグループオーナの記述情報を送信するよう構成され、具体的には、第１端末が属する既存のグループのグループオーナの記述情報は、第１端末のＷｉ−Ｆｉ  Ｄｉｒｅｃｔコンフィギュレーション情報に含まれてもよく、あるいは、第１端末が属する既存のグループのグループオーナの記述情報はまた、第１端末のＷｉ−Ｆｉ  Ｄｉｒｅｃｔコンフィギュレーション情報に含まれなくてもよく、第１端末のＷｉ−Ｆｉ  Ｄｉｒｅｃｔコンフィギュレーション情報と共に第２端末に送信される。
【０１９５】
本実施例の更なる他の実現方式では、確立モジュール１４２は、第６受信サブモジュール１４２１４及び第７確立サブモジュール１４２１５を有してもよく、
第１端末が既存のグループのメンバーであり、第２端末が既存のグループのメンバーでないとき、第６受信サブモジュール１４２１４は、ＮＦＣ接続を介し第２端末により送信される作成予定の新たなグループのＷｉ−Ｆｉ  Ｄｉｒｅｃｔコンフィギュレーション情報を受信するよう構成され、
第７確立サブモジュール１４２１５は、第６受信サブモジュール１４２１４により受信される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成され、
具体的には、第２端末が、第２端末のデフォルト設定に従って第２端末が第１端末と新たなグループを作成することを要求していると判断し、第２端末が、第１端末が少なくとも１つの未使用のＭＡＣエンティティを有すると判断した後、第２端末が、第１端末における未使用のＭＡＣエンティティからの１つを選択し、作成予定の新たなグループのＷｉ−Ｆｉ  Ｄｉｒｅｃｔコンフィギュレーション情報を設定した後、第６受信サブモジュール１４２１４により受信される作成予定の新たなグループのＷｉ−Ｆｉ  Ｄｉｒｅｃｔコンフィギュレーション情報が、第２端末によって第１端末に送信され、ここで、作成予定の新たなグループのＷｉ−Ｆｉ  Ｄｉｒｅｃｔコンフィギュレーション情報は更に、第１端末から第２端末により選択されるＭＡＣエンティティのアドレスを有し、作成予定の新たなグループのＷｉ−Ｆｉ  Ｄｉｒｅｃｔコンフィギュレーション情報は、第２端末が属する既存のグループのＷｉ−Ｆｉ  Ｄｉｒｅｃｔコンフィギュレーション情報と矛盾しない。
【０１９６】
本実施例の更なる他の実現方式では、確立モジュール１４２は、第７受信サブモジュール１４２１６及び第８確立サブモジュール１４２１７を有してもよく、
第１端末が既存のグループのメンバーであり、第２端末が既存のグループのメンバーでないとき、第７受信サブモジュール１４２１６は、ＮＦＣ接続を介し第２端末により送信されたＷｉ−Ｆｉ  Ｄｉｒｅｃｔコンフィギュレーション情報を受信するよう構成され、ここで、第２端末が、第２端末のデフォルト設定に従って、第２端末が第１端末と新たなグループを作成することを要求していると判断し、第１端末が少なくとも１つの未使用のＭＡＣエンティティを有すると判断した後、第２端末により送信されたＷｉ−Ｆｉ  Ｄｉｒｅｃｔコンフィギュレーション情報が、第２端末により設定され、第１端末に送信され、作成予定の新たなグループのＷｉ−Ｆｉ  Ｄｉｒｅｃｔコンフィギュレーション情報は、第１端末が属する既存のグループのＷｉ−Ｆｉ  Ｄｉｒｅｃｔコンフィギュレーション情報に矛盾せず、
第８確立サブモジュール１４２１７は、第１端末における未使用のＭＡＣエンティティからの１つを選択し、第７受信サブモジュール１４２１６により受信される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０１９７】
本実施例の更なる他の実現方式では、確立モジュール１４２は、第８受信サブモジュール１４２１８、第１プロンプトサブモジュール１４２１９、第１停止サブモジュール１４２２０、第９確立サブモジュール１４２２１及び第２設定サブモジュール１４２２２を有してもよく、
第１端末が既存のグループのメンバーであり、第２端末が既存のグループのメンバーでないとき、第８受信サブモジュール１４２１８は、第２端末が第１端末と新たなグループを作成することを要求しているという第２端末により送信される通知を受信するよう構成され、ここで、第２端末が、第２端末のデフォルト設定に従って、第２端末が第１端末と新たなグループを作成することを要求していると判断し、第１端末における全てのＭＡＣエンティティが利用されていると判断した後、当該通知は第２端末によって第１端末に送信され、
第１プロンプトサブモジュール１４２１９は、第１端末が属する既存のグループをやめるか第１端末を利用するユーザを促すよう構成され、
第１端末を利用するユーザが第１端末が属する既存のグループをやめることを選択した後、第１停止サブモジュール１４２２０は、第１端末が属する既存のグループをやめるよう構成され、
第２設定サブモジュール１４２２２は、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、作成予定の新たなグループのＷｉ−Ｆｉ  Ｄｉｒｅｃｔコンフィギュレーション情報を設定するよう構成され、
第９確立サブモジュール１４２２１は、第２設定サブモジュール１４２２２により設定された作成予定の新たなグループのＷｉ−Ｆｉ  Ｄｉｒｅｃｔコンフィギュレーション情報に従って、第２端末とのＷｉ−Ｆｉ  Ｄｉｒｅｃｔ接続を確立するよう構成される。
【０１９８】
本実施例の更なる他の実現方式では、確立モジュール１４２は、第９受信サブモジュール１４２２３及び第１０確立サブモジュール１４２２４を有してもよく、
第１端末と第２端末との双方が既存のグループのメンバーであるとき、第９受信サブモジュール１４２２３は、ＮＦＣ接続を介し第２端末により送信される作成予定の新たなグループのＷｉ−Ｆｉ  Ｄｉｒｅｃｔコンフィギュレーション情報を受信するよう構成され、
第１０確立サブモジュール１４２２４は、第９受信サブモジュール１４２２３により受信される作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成され、
第２端末が、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って、第１端末と第２端末とが同じグループに属さず、第１端末と第２端末との双方が少なくとも１つの未使用のＭＡＣエンティティを有すると判断し、第２端末が、第１端末のグループ情報と第２端末のグループ情報とに従って、第１端末と第２端末との少なくとも１つがグループオーナであると判断すると、第２端末が、作成予定の新たなグループにおける第２端末により利用されるＭＡＣエンティティとして第２端末における未使用のＭＡＣエンティティからの１つを選択し、第１端末における未使用のＭＡＣエンティティからの１つを選択し、作成予定の新たなグループのＷｉ−Ｆｉ  Ｄｉｒｅｃｔコンフィギュレーション情報を設定した後、作成予定の新たなグループのＷｉ−Ｆｉ  Ｄｉｒｅｃｔコンフィギュレーション情報は、第２端末によって第１端末に送信され、作成予定の新たなグループのＷｉ−Ｆｉ  Ｄｉｒｅｃｔコンフィギュレーション情報は更に、第１端末から第２端末により選択されたＭＡＣエンティティのアドレスを有する。
【０１９９】
本実施例では、第１端末と第２端末との１つのみがグループオーナである場合、既存のグループにおいてグループオーナである端末は、新たなグループにおいてクライアントでなければならず、当該端末のグループオーナ意図は、新たなグループにおけるＷｉ−Ｆｉ  Ｄｉｒｅｃｔコンフィギュレーション情報のピアエンドのグループオーナ意図より小さく設定される必要があり、第１端末と第２端末との双方が既存のグループにおけるグループオーナである場合、新たなグループのコンフィギュレーション情報における２つの端末のグループオーナ意図は、これら２つの端末のグループオーナ意図の値が異なって設定される限り、ランダムに設定されてもよい。
【０２００】
上記実施例では、第１端末と第２端末とは、ＮＦＣ接続を利用することによってＷｉ−Ｆｉ  Ｄｉｒｅｃｔコンフィギュレーション情報を交換し、デバイス検出手順とＧＯネゴシエーション手順とが交換処理に暗黙的に含まれ、これにより、無線シグナリングを利用することによって実行され、Ｗｉ−Ｆｉ  Ｄｉｒｅｃｔプロトコルに定義されるデバイス検出、ＧＯネゴシエーション及びＷＰＳ認証情報交換などのハンドシェイク手順を利用せず、Ｗｉ−Ｆｉ  Ｄｉｒｅｃｔ接続の確立手順を簡単化することができる。さらに、Ｗｉ−Ｆｉ  Ｄｉｒｅｃｔプロトコルは、クライアントが他のグループのＧＯ又はクライアントをアクティブには検出できないことを指定する。このシナリオでは、Ｗｉ−Ｆｉ  Ｄｉｒｅｃｔ接続は、無線シグナリングを利用することによって確立することはできず、当該制約は、本発明により提供される技術的手段が利用されるときには存在しない。第１端末と第２端末とがＮＦＣ通信範囲内にある限り、第１端末と第２端末とはコンフィギュレーション情報を交換可能であり、双方は第１端末と第２端末との間のＷｉ−Ｆｉ  Ｄｉｒｅｃｔ接続を確立できる。
【０２０１】
図１６は、本発明による端末の更なる他の実施例の概略的な構成図である。端末１６は第１端末として利用可能であり、図１６に示されるように、端末１６は、少なくとも１つのプロセッサ１６１とメモリ１６２とを有してもよい。メモリ１６２は、実行可能なプログラムコードを格納するよう構成され、プロセッサ１６１は、メモリ１６２に格納される実行可能なプログラムコードを読み出すことによって、実行可能なプログラムコードに対応するプログラムを実行し、第１端末と第２端末との間のＮＦＣ接続を介し第２端末により送信される第２端末のＷｉ−Ｆｉ  Ｄｉｒｅｃｔコンフィギュレーション情報を受信し、ここで、第２端末のＷｉ−Ｆｉ  Ｄｉｒｅｃｔコンフィギュレーション情報は第２端末のグループ情報を有し、第１端末のグループ情報と第２端末のグループ情報とに従って、第１端末と第２端末との何れも既存のグループのメンバーでないと判断された場合、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は、第１端末のグループ情報と第２端末のグループ情報とに従って、第１端末と第２端末との少なくとも１つが既存のグループのメンバーであると判断された場合、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０２０２】
特定の実現形態中、上記の端末は更に、ユーザインタフェース１６３及びバス１６４を有してもよい。プロセッサ１６１、メモリ１６２及びユーザインタフェース１６３は全てバス１６４に接続される。
【０２０３】
さらに、通信接続を確立する際、本実施例における第１端末は、本発明の方法の実施例により提供される手順に従って第２端末との通信接続を確立してもよい。詳細はここでは繰り返されない。
【０２０４】
上記の端末は、Ｗｉ−Ｆｉ  Ｄｉｒｅｃｔ接続確立手順を簡単化する。第１端末と第２端末とがＮＦＣ通信範囲内である限り、第１端末と第２端末とはコンフィギュレーション情報を交換可能であり、双方が第１端末と第２端末との間のＷｉ−Ｆｉ  Ｄｉｒｅｃｔ接続を確立できる。
【０２０５】
図１７は、本発明の更なる他の実施例の概略的な構成図である。端末１７は第１端末として利用可能であり、図１７に示されるように、端末１７は、少なくとも１つのプロセッサ１７１とメモリ１７２とを有してもよい。メモリ１７２は、実行可能なプログラムコードを格納するよう構成され、プロセッサ１７１は、メモリ１７２に格納される実行可能なプログラムコードを読み出すことによって、実行可能なプログラムコードに対応するプログラムを実行し、第１端末と第２端末との間のＮＦＣ接続を介し第２端末に第１端末のＷｉ−Ｆｉ  Ｄｉｒｅｃｔコンフィギュレーション情報を送信し、ここで、第１端末のＷｉ−Ｆｉ  Ｄｉｒｅｃｔコンフィギュレーション情報は第１端末のグループ情報を有し、第１端末と第２端末との何れも既存のグループのメンバーでない場合、第１端末のＷｉ−Ｆｉ  Ｄｉｒｅｃｔコンフィギュレーション情報と第２端末のＷｉ−Ｆｉ  Ｄｉｒｅｃｔコンフィギュレーション情報とに従って第２端末とのＷｉ−Ｆｉ  Ｄｉｒｅｃｔ接続を確立するか、又は、第１端末と第２端末との少なくとも１つが既存のグループのメンバーである場合、既存のグループ又は作成予定の新たなグループのＷｉ−Ｆｉ  Ｄｉｒｅｃｔコンフィギュレーション情報に従って第２端末とのＷｉ−Ｆｉ  Ｄｉｒｅｃｔ接続を確立するよう構成される。
【０２０６】
特定の実現形態中、上記の端末は更に、ユーザインタフェース１７３及びバス１７４を有してもよい。プロセッサ１７１、メモリ１７２及びユーザインタフェース１７３は全てバス１７４に接続される。
【０２０７】
さらに、通信接続を確立する際、本実施例における第１端末は、本発明の方法の実施例により提供される手順に従って第２端末との通信接続を確立してもよい。詳細はここでは繰り返されない。
【０２０８】
上記の端末は、Ｗｉ−Ｆｉ  Ｄｉｒｅｃｔ接続確立手順を簡単化する。第１端末と第２端末とがＮＦＣ通信範囲内である限り、第１端末と第２端末とはコンフィギュレーション情報を交換可能であり、双方が第１端末と第２端末との間のＷｉ−Ｆｉ  Ｄｉｒｅｃｔ接続を確立できる。
【０２０９】
当業者は、添付した図面が単なる一例となる実施例の概略図であり、添付した図面におけるモジュール又は手順は本発明の実現のため必ずしも必要でないことを理解できる。
【０２１０】
当業者は、実施例における装置のモジュールが実施例に説明されるような装置に配置されてもよいか、又は実施例における装置以外の１以上の装置に配置されてもよいことを理解できる。上記実施例によるモジュールは、１つのモジュールに合成されてもよく、又は複数のサブモジュールに更に分割されてもよい。
【０２１１】
最後に、上記実施例は本発明を限定する以外の本発明の技術的手段を単に説明することを意図していることに留意すべきである。本発明は上記実施例を参照して詳細に説明されたが、当業者は、本発明の実施例の技術的手段の範囲から逸脱することなく、上記実施例において説明された技術的手段に対する改良が依然として可能であるか、又はその一部の技術的特徴に対する等価な置換が可能であることを理解すべきである。
【図１】
0006009682.tif 000002
【図２】
0006009682.tif 000003
【図３】
0006009682.tif 000004
【図４】
0006009682.tif 000005
【図５】
0006009682.tif 000006
【図６Ａ】
0006009682.tif 000007
【図６Ｂ】
0006009682.tif 000008
【図６Ｃ】
0006009682.tif 000009
【図６Ｄ】
0006009682.tif 000010
【図７】
0006009682.tif 000011
【図８】
0006009682.tif 000012
【図９Ａ】
0006009682.tif 000013
【図９Ｂ】
0006009682.tif 000014
【図１０】
0006009682.tif 000015
【図１１】
0006009682.tif 000016
【図１２】
0006009682.tif 000017
【図１３】
0006009682.tif 000018
【図１４】
0006009682.tif 000019
【図１５】
0006009682.tif 000020
【図１６】
0006009682.tif 000021
【図１７】
0006009682.tif 000022